(57)【要約】  ブログに転載可能なコンテンツを配置したウェブサイトを配信するサービスと、複数のブログ作成サービスとのスムーズな連携を図る。  コンテンツとしてニュース記事・画像を配置したウェブサイトを配信するコンテンツサーバ１１と、ブログ作成サービスの提供に係る各社のブログサーバ３１、４１、５１との間で、ユーザコンピュータ２がユーザ操作に従ってブログ作成処理を行う場合に、ユーザコンピュータ２と各サーバ１１、３１、４１、５１との間に介在して、ブログ作成に必要な各種処理の連携を行う連携サーバ２１を新たに設けることで、ユーザコンピュータ２のユーザが、コンテンツサーバ１１から配信されるウェブサイトの中にブログ作成の題材となるニュース記事・画像等を見つけると、ブログ作成作業を自身の登録しているウェブ作成サービスへと容易に導ける。
2009139035.tif 000002
【特許請求の範囲】
【請求項１】
コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、
前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、
前記第２サーバ装置は、前記コンテンツデータを受信した場合、受信した前記コンテンツデータを記憶すると共に、記憶した前記コンテンツデータの記憶場所を示すコンテンツアドレスを前記第３サーバ装置へ送信し、
前記第３サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とするウェブページ作成方法。
【請求項２】
前記第３サーバ装置は、複数であり、
前記通信端末装置は、複数の前記第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、
前記第２サーバ装置は、受信した前記作成指示データに含まれる第３サーバ装置識別情報で識別される第３サーバ装置へ、前記コンテンツアドレスを送信する請求項１に記載のウェブページ作成方法。
【請求項３】
コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、
前記第２サーバ装置は、前記コンテンツデータを受信した場合、受信した前記コンテンツデータを記憶すると共に、記憶した前記コンテンツデータの記憶場所を示すコンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とするウェブページ作成方法。
【請求項４】
複数の第３サーバ装置が、作成されるウェブページに係るデータを記憶できるようにしてあり、
前記通信端末装置は、前記複数の第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、
前記第２サーバ装置は、受信した前記作成指示データに含まれる第３サーバ装置識別情報で識別される第３サーバ装置へ、前記通信端末装置から送信された前記コメント及び前記コンテンツアドレスを送信する請求項３に記載のウェブページ作成方法。
【請求項５】
前記第３サーバ装置は、送信されてきた前記コメント及び前記コンテンツアドレスをウェブページに係るデータとして記憶し、
前記第３サーバ装置は、前記ウェブページに係る閲覧要求を閲覧端末装置から受信した場合、記憶する前記コメント及び前記コンテンツアドレスを読み出して前記閲覧端末装置へ送信し、
前記閲覧端末装置は、前記コメント及び前記コンテンツアドレスを受信した場合、受信した前記コンテンツアドレスに基づいて、前記第２サーバ装置へコンテンツデータの取得要求を送信し、
前記第２サーバ装置は、前記コンテンツデータの取得要求を受信した場合、取得要求に係るコンテンツデータを読み出して前記閲覧端末装置へ送信し、
前記閲覧端末装置は、前記コンテンツデータを受信した場合、受信した前記コンテンツデータに応じたコンテンツと共に、前記第３サーバ装置から受信したコメントを表示する請求項１、２、４のいずれか１項に記載のウェブページ作成方法。
【請求項６】
前記第１サーバ装置は、コンテンツに付随する付随データをコンテンツ識別情報に対応付けて記憶しており、前記コンテンツ要求データを受信した場合、前記コンテンツデータと共に、前記付随データを前記第２サーバ装置へ送信し、
前記第２サーバ装置は、前記コンテンツデータ及び付随データを受信した場合、前記コンテンツデータと共に前記付随データを記憶し、
前記第２サーバ装置は、前記コンテンツデータの取得要求を受信した場合、取得要求に係るコンテンツデータ及び付随データを読み出して前記閲覧端末装置へ送信する請求項５に記載のウェブページ作成方法。
【請求項７】
前記第２サーバ装置は、管理ウェブサイトをネットワーク上に設けており、前記管理ウェブサイトに係る管理サイトアドレスを前記第３サーバ装置へ送信し、
前記第３サーバ装置は、送信されてきた前記コメント及び前記コンテンツアドレスをウェブページに係るデータとして記憶した場合で、前記第２サーバ装置から送信された前記管理サイトアドレスを受信したとき、前記ウェブページのページアドレスを、前記管理サイトアドレスに基づきトラックバックとして前記第２サーバ装置へ送信する請求項１、２、４、５、６のいずれか１項に記載のウェブページ作成方法。
【請求項８】
前記第２サーバ装置は、
前記管理ウェブサイトに係る管理サイトアドレスとして、固定アドレス部分に可変アドレス部分を付加した管理サイトアドレスを作成し、作成した管理サイトアドレスを記憶し、
トラックバックとしてページアドレスを受信した場合、前記トラックバックの送信先となるサイトアドレスと、記憶する管理サイトアドレスとを比較し、
比較の結果、両方のサイトアドレスが一致する場合、受信したページアドレスを前記管理ウェブサイトに追加する請求項７に記載のウェブページ作成方法。
【請求項９】
前記第１サーバ装置は、前記コンテンツ要求データを受信した場合、前記コンテンツに係るウェブサイトのサイトアドレスを前記第２サーバ装置へ送信し、
前記第２サーバ装置は、前記サイトアドレスを前記第３サーバ装置へ送信し、
前記第３サーバ装置は、送信されてきた前記コメント及び前記コンテンツアドレスをウェブページに係るデータとして記憶した場合で、前記第２サーバ装置から送信された前記サイトアドレスを受信したとき、前記ウェブページのページアドレスを、前記サイトアドレスに基づきトラックバックとして前記第１サーバ装置へ送信する請求項１、２、４、５、６、７、８のいずれか１項に記載のウェブページ作成方法。
【請求項１０】
前記第１サーバ装置は、
前記サイトアドレスとして、固定アドレス部分に可変アドレス部分を付加したサイトアドレスを作成し、作成したサイトアドレスを記憶し、
トラックバックとしてページアドレスを受信した場合、前記トラックバックの送信先となるサイトアドレスと、記憶するサイトアドレスとを比較し、
比較の結果、両方のサイトアドレスが一致する場合、受信したページアドレスを前記コンテンツに係るウェブサイトに追加する請求項９に記載のウェブページ作成方法。
【請求項１１】
前記第２サーバ装置は、
前記第１サーバ装置からコンテンツデータを受信した場合、受信したコンテンツデータをコンテンツ識別情報に対応付けて記憶し、
前記通信端末装置から前記作成指示データを受信した場合、前記作成指示データに含まれるコンテンツ識別情報に対応するコンテンツデータを、記憶したコンテンツデータから検索し、
検索の結果、該当するコンテンツデータが無かった場合、前記第１サーバ装置へ前記コンテンツ識別情報を指定した前記コンテンツ要求データを送信する請求項１乃至請求項１０のいずれか１項に記載のウェブページ作成方法。
【請求項１２】
前記第２サーバ装置は、
検索の結果、該当するコンテンツデータが有った場合、前記第１サーバ装置へ前記コンテンツ要求データを送信することなく、検索で該当したコンテンツデータの記憶場所を示すコンテンツアドレスの送信を行う請求項１１に記載のウェブページ作成方法。
【請求項１３】
前記第２サーバ装置は、
予め基本時間を記憶しており、
前記第１サーバ装置からコンテンツデータを受信した場合、受信したコンテンツデータをコンテンツ識別情報に対応付けて記憶日時と共に記憶し、
検索の結果、該当するコンテンツデータが有った場合、該当するコンテンツデータに係る記憶日時から検索時までの時間を算出し、
算出した時間と前記基本時間とを比較し、
比較の結果、算出した時間が前記基本時間より短い場合、前記第１サーバ装置へ前記コンテンツ要求データを送信することなく、検索で該当したコンテンツデータの記憶場所を示すコンテンツアドレスの送信を行う請求項１２に記載のウェブページ作成方法。
【請求項１４】
コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータの記憶場所を示すコンテンツアドレスを前記第２サーバ装置へ送信し、
前記第２サーバ装置は、前記コンテンツアドレスを受信した場合、前記コンテンツアドレスを前記第３サーバ装置へ送信し、
前記第３サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とするウェブページ作成方法。
【請求項１５】
コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応する前記コンテンツデータの記憶場所を示すコンテンツアドレスを前記第２サーバ装置へ送信し、
前記第２サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とするウェブページ作成方法。
【請求項１６】
前記通信端末装置は、前記第１サーバ装置へアクセスしてコンテンツに係るウェブサイトの表示を行うにあたり、前記作成指示の受け付けが可能な表示パーツの要求に係るパーツ要求データを前記第２サーバ装置へ送信し、
前記第２サーバ装置は、前記パーツ要求データを受信した場合、作成指示の受け付けが可能な表示パーツを前記通信端末装置へ送信し、
前記通信端末装置は、前記表示パーツを受信した場合、受信した表示パーツを前記コンテンツに係るウェブサイトの中に配置して、前記ウェブサイトを表示する請求項１乃至請求項１５のいずれか１項に記載のウェブページ作成方法。
【請求項１７】
前記通信端末装置は、ブラウザプログラムに基づいたブラウザを介して、ウェブサイトを表示し、
前記第２サーバ装置は、前記作成指示の受け付けが可能であると共にブラウザに組込表示が可能な指示受付部に応じた表示規定データを前記通信端末装置へ送信し、
前記通信端末装置は、前記表示規定データを受信した場合、受信した表示規定データに応じた前記指示受付部をブラウザに組み込んで、前記ブラウザを介してウェブサイトを表示する請求項１乃至請求項１６のいずれか１項に記載のウェブページ作成方法。
【請求項１８】
コンテンツに応じたコンテンツデータをコンテンツ識別情報に対応付けて記憶する第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う第２サーバ装置と、前記編集ページの提供を行う第３サーバ装置とを備えるウェブページ作成システムであって、
前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信する処理を行う手段を備え、
前記第２サーバ装置は、作成指示データを受信した場合、前記作成指示データに含まれるコンテンツ識別情報を指定したコンテンツ要求データを前記第１サーバ装置へ送信する処理を行う手段を備え、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信する処理を行う手段を備え、
前記第２サーバ装置は更に、
前記コンテンツデータを受信した場合、受信した前記コンテンツデータを記憶する処理を行う手段と、
前記コンテンツデータの記憶場所を示すコンテンツアドレスを前記第３サーバ装置へ送信する処理を行う手段とを備え、
前記第３サーバ装置は、
前記コンテンツアドレスを受信した場合、受信した前記コンテンツアドレスを編集ページに埋め込む処理を行う手段と、
前記コンテンツアドレスを埋め込んだ前記編集ページを前記通信端末装置へ送信する処理を行う手段とを備え、
前記通信端末装置は更に、
前記編集ページを受信した場合、受信した編集ページの表示処理を行う手段と、
表示した前記編集ページでコメントを受け付けた場合、受け付けたコメント及び前記編集ページに埋め込まれた前記コンテンツアドレスを前記第３サーバ装置へ送信する処理を行う手段と
を備えることを特徴とするウェブページ作成システム。
【請求項１９】
コンテンツに応じたコンテンツデータをコンテンツ識別情報に対応付けて記憶する第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う連携サーバ装置とを備えるウェブページ作成システムであって、
前記通信端末装置は、前記ウェブサイトに含まれる前記コンテンツを転載するウェブページの作成指示を受け付けた場合、前記コンテンツに応じたコンテンツ識別情報を含む作成指示データを前記連携サーバ装置へ送信する処理を行う手段を備え、
前記連携サーバ装置は、作成指示データを受信した場合、前記作成指示データに含まれるコンテンツ識別情報を指定したコンテンツ要求データを前記コンテンツサーバ装置へ送信する処理を行う手段を備え、
前記コンテンツサーバ装置は、前記コンテンツ要求データを受信した場合、受信した前記コンテンツ要求データで指定されたコンテンツ識別情報に対応するコンテンツデータを読み出して前記連携サーバ装置へ送信する処理を行う手段を備え、
前記連携サーバ装置は更に、
前記コンテンツサーバ装置から前記コンテンツに応じたコンテンツデータを受信した場合、前記コンテンツデータの記憶処理を行う手段と、
前記コンテンツデータの記憶場所を表すコンテンツアドレスを前記編集ページへ埋め込む処理を行う手段と、
前記コンテンツアドレスを埋め込んだ編集ページを前記通信端末装置へ送信する処理を行う手段とを備え、
前記通信端末装置は更に、
前記編集ページを受信した場合、受信した前記編集ページの表示処理を行う手段と、
表示した前記編集ページでコメントを受け付けた場合、受け付けたコメント及び前記コンテンツアドレスを前記連携サーバ装置へ送信する処理を行う手段と
を備えることを特徴とするウェブページ作成システム。
【請求項２０】
外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて前記コンテンツデータを受信した場合、受信した前記コンテンツデータを記憶する処理を行う手段と、
前記コンテンツデータの記憶場所を示すコンテンツアドレスを外部のサーバ装置へ送信する処理を行う手段と
を備えることを特徴とする連携サーバ装置。
【請求項２１】
外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ送信する処理を行う手段と
を備えることを特徴とする連携サーバ装置。
【請求項２２】
外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて前記コンテンツデータを受信した場合、受信した前記コンテンツデータを記憶する処理を行う手段と、
前記コンテンツデータの記憶場所を示すコンテンツアドレスを前記編集ページへ埋め込む処理を行う手段と、
前記コンテンツアドレスを埋め込んだ編集ページを外部の通信端末装置へ送信する処理を行う手段と
を備えることを特徴とする連携サーバ装置。
【請求項２３】
外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、
前記コンテンツアドレスを埋め込んだ編集ページを外部の通信端末装置へ送信する処理を行う手段と
を備えることを特徴とする連携サーバ装置。
【請求項２４】
通信手段及び記憶手段を有するコンピュータに、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて前記コンテンツデータを受信した場合、受信した前記コンテンツデータを前記記憶手段に記憶する処理を行う手段と、
前記コンテンツデータの記憶場所を示すコンテンツアドレスを外部のサーバ装置へ前記通信手段を通じて送信する処理を行う手段として機能させることを特徴とするコンピュータプログラム。
【請求項２５】
通信手段及び記憶手段を有するコンピュータに、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ前記通信手段を通じて送信する処理を行う手段として機能させることを特徴とするコンピュータプログラム。
【請求項２６】
通信手段及び記憶手段を有するコンピュータに、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて前記コンテンツデータを受信した場合、受信した前記コンテンツデータを前記記憶手段に記憶する処理を行う手段と、
前記コンテンツデータの記憶場所を示すコンテンツアドレスを前記編集ページへ埋め込む処理を行う手段と、
前記コンテンツアドレスを埋め込んだ編集ページを外部の通信端末装置へ前記通信手段を通じて送信する処理を行う手段として機能させることを特徴とするコンピュータプログラム。
【請求項２７】
通信手段及び記憶手段を有するコンピュータに、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、
前記コンテンツアドレスを埋め込んだ編集ページを外部の通信端末装置へ前記通信手段を通じて送信する処理を行う手段として機能させることを特徴とするコンピュータプログラム。
【発明の詳細な説明】
【技術分野】
【０００１】
本発明は、ウェブサイトに含まれる各種コンテンツ（たとえば、ニュース記事、画像など）を転載した新たなウェブページ（たとえば、ブログなど）を作成する際、作成するウェブページへのコンテンツ転載に係る処理をスムーズに行えるようにしたウェブページ作成方法、ウェブページ作成システム、連携サーバ装置及びコンピュータプログラムに関する。
【背景技術】
【０００２】
従来、インターネットのウェブサイトで提供される各種コンテンツ（ニュース記事、画像など）に対して、ユーザの論評（コメントなど）を載せたウェブページを作成することが行われており、近時このような用途で作成されるウェブページには、ブログ（ｂｌｏｇ）が用いられることが多い。ブログとは、ウェブページの一種に相当し、ユーザのコメント等を載せたページを時系列で配置する日記形式のものであり、トラックバックと云う参照又は引用したウェブサイトとの繋がりを示す独特の機能を具備している。ブログの作成は一般に、各種企業がネットワークを通じて提供するブログ作成サービスに応じたブログ作成サイトで行われており、従来の一般的なウェブページに比べてブログページの作成は容易になっている。【０００３】
昨今、ブログ作成サービスは、様々な系統の企業（プロバイダ系企業、ポータルサイト系企業、ブログに転載可能なコンテンツサイトの配信系企業等）により提供されており、ブログを作成しようとするユーザは、いずれかの企業が提供するブログ作成サービスにユーザ登録を行い、登録先のブログ作成サービスのサイト仕様に基づいた処理手順に従って、ブログを作成することになる。【０００４】
なお、本出願人は、各種コンテンツを転載したウェブページ（ブログを含む）を作成する際、そのウェブページに転載されるコンテンツ及びそのコンテンツの著作権情報（著作権、著作者等に関する情報）を適切に保護した上でブログに利用できるようにした特許を取得している（特許文献１参照）。
【特許文献１】特許第３８５７７１７号公報
【発明の開示】
【発明が解決しようとする課題】
【０００５】
昨今、ブログに転載可能なコンテンツを掲載したウェブサイト（ニュースサイトのようなコンテンツサイト）の中には、ブログ作成サービスを提供する各企業のブログ作成サイトへのリンク用アイコン等をサイトページ内に複数配置することで、コンテンツサイトから、ユーザの登録したブログ作成サイトへ直接的に移行できるようにしたウェブサイトが存在する。【０００６】
しかし、サイト間を移行できるようにしても、実際にコンテンツを転載するブログを作成する段階では、ブログに転載するコンテンツを配信するコンテンツサーバと、ブログ作成サイトを提供するブログサーバとの間で、様々なデータ（転載するコンテンツに関するデータ、ブログ作成を行うユーザに関するデータなど）の送受を行う必要がある。その上、コンテンツサーバと、ブログサーバとの間で、システムの構成上、処理の仕様がそれぞれ異なれば、コンテンツサーバは、ブログサーバごとに、ブログ作成サイトの仕様に応じた各種処理が要求されると共に、ユーザにも各種入力操作が要求されることある。これらのことから、コンテンツサイトからブログ作成サイトへ移行できるようにリンクを設けた場合、コンテンツサーバの処理負担又はユーザの操作負担が増大すると云う問題がある。【０００７】
本発明は斯かる事情に鑑みてなされたものであり、コンテンツサーバと、ブログサーバ等との間に介在して、各装置間の連携処理を一元的に行う連携サーバを新たに設けることで、ユーザへの便宜を図った上で、コンテンツサーバ装置の処理負担が増大しないようにしたウェブページ作成方法、ウェブページ作成システム、連携サーバ装置及びコンピュータプログラムを提供することを目的とする。
また、本発明は、連携サーバを設けた場合でも、コンテンツの転載及びトラックバックに係る処理等をスムーズに行えるようにしたウェブページ作成方法、ウェブページ作成システム、連携サーバ装置及びコンピュータプログラムを提供することを目的とする。
【課題を解決するための手段】
【０００８】
本発明に係るウェブページ作成方法は、コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、前記第２サーバ装置は、前記コンテンツデータを受信した場合、受信した前記コンテンツデータを記憶すると共に、記憶した前記コンテンツデータの記憶場所を示すコンテンツアドレスを前記第３サーバ装置へ送信し、前記第３サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とする。【０００９】
また、本発明に係るウェブページ作成方法は、前記第３サーバ装置が、複数であり、前記通信端末装置は、複数の前記第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、前記第２サーバ装置は、受信した前記作成指示データに含まれる第３サーバ装置識別情報で識別される第３サーバ装置へ、前記コンテンツアドレスを送信することを特徴とする。【００１０】
さらに、本発明に係るウェブページ作成方法は、コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、前記第２サーバ装置は、前記コンテンツデータを受信した場合、受信した前記コンテンツデータを記憶すると共に、記憶した前記コンテンツデータの記憶場所を示すコンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とする。【００１１】
さらにまた、本発明に係るウェブページ作成方法は、複数の第３サーバ装置が、作成されるウェブページに係るデータを記憶できるようにしてあり、前記通信端末装置は、前記複数の第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、前記第２サーバ装置は、受信した前記作成指示データに含まれる第３サーバ装置識別情報で識別される第３サーバ装置へ、前記通信端末装置から送信された前記コメント及び前記コンテンツアドレスを送信することを特徴とする。【００１２】
本発明に係るウェブページ作成方法は、前記第３サーバ装置が、送信されてきた前記コメント及び前記コンテンツアドレスをウェブページに係るデータとして記憶し、前記第３サーバ装置は、前記ウェブページに係る閲覧要求を閲覧端末装置から受信した場合、記憶する前記コメント及び前記コンテンツアドレスを読み出して前記閲覧端末装置へ送信し、前記閲覧端末装置は、前記コメント及び前記コンテンツアドレスを受信した場合、受信した前記コンテンツアドレスに基づいて、前記第２サーバ装置へコンテンツデータの取得要求を送信し、前記第２サーバ装置は、前記コンテンツデータの取得要求を受信した場合、取得要求に係るコンテンツデータを読み出して前記閲覧端末装置へ送信し、前記閲覧端末装置は、前記コンテンツデータを受信した場合、受信した前記コンテンツデータに応じたコンテンツと共に、前記第３サーバ装置から受信したコメントを表示することを特徴とする。【００１３】
また、本発明に係るウェブページ作成方法は、前記第１サーバ装置が、コンテンツに付随する付随データをコンテンツ識別情報に対応付けて記憶しており、前記コンテンツ要求データを受信した場合、前記コンテンツデータと共に、前記付随データを前記第２サーバ装置へ送信し、前記第２サーバ装置は、前記コンテンツデータ及び付随データを受信した場合、前記コンテンツデータと共に前記付随データを記憶し、前記第２サーバ装置は、前記コンテンツデータの取得要求を受信した場合、取得要求に係るコンテンツデータ及び付随データを読み出して前記閲覧端末装置へ送信することを特徴とする。【００１４】
さらに、本発明に係るウェブページ作成方法は、前記第２サーバ装置が、管理ウェブサイトをネットワーク上に設けており、前記管理ウェブサイトに係る管理サイトアドレスを前記第３サーバ装置へ送信し、前記第３サーバ装置は、送信されてきた前記コメント及び前記コンテンツアドレスをウェブページに係るデータとして記憶した場合で、前記第２サーバ装置から送信された前記管理サイトアドレスを受信したとき、前記ウェブページのページアドレスを、前記管理サイトアドレスに基づきトラックバックとして前記第２サーバ装置へ送信することを特徴とする。【００１５】
さらにまた、本発明に係るウェブページ作成方法は、前記第２サーバ装置が、前記管理ウェブサイトに係る管理サイトアドレスとして、固定アドレス部分に可変アドレス部分を付加した管理サイトアドレスを作成し、作成した管理サイトアドレスを記憶し、トラックバックとしてページアドレスを受信した場合、前記トラックバックの送信先となるサイトアドレスと、記憶する管理サイトアドレスとを比較し、比較の結果、両方のサイトアドレスが一致する場合、受信したページアドレスを前記管理ウェブサイトに追加することを特徴とする。【００１６】
また、本発明に係るウェブページ作成方法は、前記第１サーバ装置が、前記コンテンツ要求データを受信した場合、前記コンテンツに係るウェブサイトのサイトアドレスを前記第２サーバ装置へ送信し、前記第２サーバ装置は、前記サイトアドレスを前記第３サーバ装置へ送信し、前記第３サーバ装置は、送信されてきた前記コメント及び前記コンテンツアドレスをウェブページに係るデータとして記憶した場合で、前記第２サーバ装置から送信された前記サイトアドレスを受信したとき、前記ウェブページのページアドレスを、前記サイトアドレスに基づきトラックバックとして前記第１サーバ装置へ送信することを特徴とする。【００１７】
さらに、本発明に係るウェブページ作成方法は、前記第１サーバ装置が、前記サイトアドレスとして、固定アドレス部分に可変アドレス部分を付加したサイトアドレスを作成し、作成したサイトアドレスを記憶し、トラックバックとしてページアドレスを受信した場合、前記トラックバックの送信先となるサイトアドレスと、記憶するサイトアドレスとを比較し、比較の結果、両方のサイトアドレスが一致する場合、受信したページアドレスを前記コンテンツに係るウェブサイトに追加することを特徴とする。【００１８】
さらにまた、本発明に係るウェブページ作成方法は、前記第２サーバ装置が、前記第１サーバ装置からコンテンツデータを受信した場合、受信したコンテンツデータをコンテンツ識別情報に対応付けて記憶し、前記通信端末装置から前記作成指示データを受信した場合、前記作成指示データに含まれるコンテンツ識別情報に対応するコンテンツデータを、記憶したコンテンツデータから検索し、検索の結果、該当するコンテンツデータが無かった場合、前記第１サーバ装置へ前記コンテンツ識別情報を指定した前記コンテンツ要求データを送信することを特徴とする。【００１９】
また、本発明に係るウェブページ作成方法は、前記第２サーバ装置が、検索の結果、該当するコンテンツデータが有った場合、前記第１サーバ装置へ前記コンテンツ要求データを送信することなく、検索で該当したコンテンツデータの記憶場所を示すコンテンツアドレスの送信を行うことを特徴とする。【００２０】
さらに、本発明に係るウェブページ作成方法は、前記第２サーバ装置が、予め基本時間を記憶しており、前記第１サーバ装置からコンテンツデータを受信した場合、受信したコンテンツデータをコンテンツ識別情報に対応付けて記憶日時と共に記憶し、検索の結果、該当するコンテンツデータが有った場合、該当するコンテンツデータに係る記憶日時から検索時までの時間を算出し、算出した時間と前記基本時間とを比較し、比較の結果、算出した時間が前記基本時間より短い場合、前記第１サーバ装置へ前記コンテンツ要求データを送信することなく、検索で該当したコンテンツデータの記憶場所を示すコンテンツアドレスの送信を行うことを特徴とする。【００２１】
本発明に係るウェブページ作成方法は、コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータの記憶場所を示すコンテンツアドレスを前記第２サーバ装置へ送信し、前記第２サーバ装置は、前記コンテンツアドレスを受信した場合、前記コンテンツアドレスを前記第３サーバ装置へ送信し、前記第３サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とする。【００２２】
本発明に係るウェブページ作成方法は、コンテンツに応じたコンテンツデータをコンテンツ識別情報に対応付けて記憶する第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応する前記コンテンツデータの記憶場所を示すコンテンツアドレスを前記第２サーバ装置へ送信し、前記第２サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とする。【００２３】
また、本発明に係るウェブページ作成方法は、前記通信端末装置が、前記第１サーバ装置へアクセスしてコンテンツに係るウェブサイトの表示を行うにあたり、前記作成指示の受け付けが可能な表示パーツの要求に係るパーツ要求データを前記第２サーバ装置へ送信し、前記第２サーバ装置は、前記パーツ要求データを受信した場合、作成指示の受け付けが可能な表示パーツを前記通信端末装置へ送信し、前記通信端末装置は、前記表示パーツを受信した場合、受信した表示パーツを前記コンテンツに係るウェブサイトの中に配置して、前記ウェブサイトを表示することを特徴とする。【００２４】
さらに、本発明に係るウェブページ作成方法は、前記通信端末装置が、ブラウザプログラムに基づいたブラウザを介して、ウェブサイトを表示し、前記第２サーバ装置は、前記作成指示の受け付けが可能であると共にブラウザに組込表示が可能な指示受付部に応じた表示規定データを前記通信端末装置へ送信し、前記通信端末装置は、前記表示規定データを受信した場合、受信した表示規定データに応じた前記指示受付部をブラウザに組み込んで、前記ブラウザを介してウェブサイトを表示することを特徴とする。【００２５】
本発明に係るウェブページ作成システムは、コンテンツに応じたコンテンツデータをコンテンツ識別情報に対応付けて記憶する第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う第２サーバ装置と、前記編集ページの提供を行う第３サーバ装置とを備えるウェブページ作成システムであって、前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信する処理を行う手段を備え、前記第２サーバ装置は、作成指示データを受信した場合、前記作成指示データに含まれるコンテンツ識別情報を指定したコンテンツ要求データを前記第１サーバ装置へ送信する処理を行う手段を備え、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信する処理を行う手段を備え、前記第２サーバ装置は更に、前記コンテンツデータを受信した場合、受信した前記コンテンツデータを記憶する処理を行う手段と、前記コンテンツデータの記憶場所を示すコンテンツアドレスを前記第３サーバ装置へ送信する処理を行う手段とを備え、前記第３サーバ装置は、前記コンテンツアドレスを受信した場合、受信した前記コンテンツアドレスを編集ページに埋め込む処理を行う手段と、前記コンテンツアドレスを埋め込んだ前記編集ページを前記通信端末装置へ送信する処理を行う手段とを備え、前記通信端末装置は更に、前記編集ページを受信した場合、受信した編集ページの表示処理を行う手段と、表示した前記編集ページでコメントを受け付けた場合、受け付けたコメント及び前記編集ページに埋め込まれた前記コンテンツアドレスを前記第３サーバ装置へ送信する処理を行う手段とを備えることを特徴とする。【００２６】
さらに、本発明に係るウェブページ作成システムは、コンテンツに応じたコンテンツデータをコンテンツ識別情報に対応付けて記憶する第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う連携サーバ装置とを備えるウェブページ作成システムであって、前記通信端末装置は、前記ウェブサイトに含まれる前記コンテンツを転載するウェブページの作成指示を受け付けた場合、前記コンテンツに応じたコンテンツ識別情報を含む作成指示データを前記連携サーバ装置へ送信する処理を行う手段を備え、前記連携サーバ装置は、作成指示データを受信した場合、前記作成指示データに含まれるコンテンツ識別情報を指定したコンテンツ要求データを前記コンテンツサーバ装置へ送信する処理を行う手段を備え、前記コンテンツサーバ装置は、前記コンテンツ要求データを受信した場合、受信した前記コンテンツ要求データで指定されたコンテンツ識別情報に対応するコンテンツデータを読み出して前記連携サーバ装置へ送信する処理を行う手段を備え、前記連携サーバ装置は更に、前記コンテンツサーバ装置から前記コンテンツに応じたコンテンツデータを受信した場合、前記コンテンツデータの記憶処理を行う手段と、前記コンテンツデータの記憶場所を表すコンテンツアドレスを前記編集ページへ埋め込む処理を行う手段と、前記コンテンツアドレスを埋め込んだ編集ページを前記通信端末装置へ送信する処理を行う手段とを備え、前記通信端末装置は更に、前記編集ページを受信した場合、受信した前記編集ページの表示処理を行う手段と、表示した前記編集ページでコメントを受け付けた場合、受け付けたコメント及び前記コンテンツアドレスを前記連携サーバ装置へ送信する処理を行う手段とを備えることを特徴とする。【００２７】
本発明に係る連携サーバ装置は、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて前記コンテンツデータを受信した場合、受信した前記コンテンツデータを記憶する処理を行う手段と、前記コンテンツデータの記憶場所を示すコンテンツアドレスを外部のサーバ装置へ送信する処理を行う手段とを備えることを特徴とする。【００２８】
また、本発明に係る連携サーバ装置は、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ送信する処理を行う手段とを備えることを特徴とする。【００２９】
さらに、本発明に係る連携サーバ装置は、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて前記コンテンツデータを受信した場合、受信した前記コンテンツデータを記憶する処理を行う手段と、前記コンテンツデータの記憶場所を示すコンテンツアドレスを前記編集ページへ埋め込む処理を行う手段と、前記コンテンツアドレスを埋め込んだ編集ページを外部の通信端末装置へ送信する処理を行う手段とを備えることを特徴とする。【００３０】
さらにまた、本発明に係る連携サーバ装置は、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、前記コンテンツアドレスを埋め込んだ編集ページを外部の通信端末装置へ送信する処理を行う手段とを備えることを特徴とする。【００３１】
本発明に係るコンピュータプログラムは、通信手段及び記憶手段を有するコンピュータに、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて前記コンテンツデータを受信した場合、受信した前記コンテンツデータを前記記憶手段に記憶する処理を行う手段と、前記コンテンツデータの記憶場所を示すコンテンツアドレスを外部のサーバ装置へ前記通信手段を通じて送信する処理を行う手段として機能させることを特徴とする。【００３２】
また、本発明に係るコンピュータプログラムは、通信手段及び記憶手段を有するコンピュータに、外部のコンテンツサーバ装置がコンテンツ識別情報に対応付けて記憶するコンテンツデータに係るコンテンツを転載するウェブページの作成に係る処理を外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ前記通信手段を通じて送信する処理を行う手段として機能させることを特徴とする。【００３３】
さらに、本発明に係るコンピュータプログラムは、通信手段及び記憶手段を有するコンピュータに、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて前記コンテンツデータを受信した場合、受信した前記コンテンツデータを前記記憶手段に記憶する処理を行う手段と、前記コンテンツデータの記憶場所を示すコンテンツアドレスを前記編集ページへ埋め込む処理を行う手段と、前記コンテンツアドレスを埋め込んだ編集ページを外部の通信端末装置へ前記通信手段を通じて送信する処理を行う手段として機能させることを特徴とする。【００３４】
さらにまた、本発明に係るコンピュータプログラムは、通信手段及び記憶手段を有するコンピュータに、外部のコンテンツサーバ装置がコンテンツ識別情報に対応付けて記憶するコンテンツデータに係るコンテンツを転載するウェブページの作成に係る処理を編集ページに基づき外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、前記コンテンツアドレスを埋め込んだ編集ページを外部の通信端末装置へ前記通信手段を通じて送信する処理を行う手段として機能させることを特徴とする。【００３５】
本発明にあっては、ウェブページの作成に関する装置間の連携処理を行う第２サーバ装置（連携サーバ装置に相当）が、コンテンツを保存する第１サーバ装置（コンテンツサーバ装置に相当）からコンテンツデータを受信すると、そのコンテンツデータを記憶するので、第２サーバ装置で、作成対象のウェブページ（たとえばブログ）に転載されるコンテンツを提供できるようになり、第１サーバ装置のコンテンツ提供に係る処理負担が抑制される。また、第２サーバ装置は、自身が記憶するコンテンツデータの記憶場所を示すコンテンツアドレス及びコンテンツ識別データを第３サーバ装置（たとえば、ブログサーバ装置に相当）へ送信するので、第３サーバ装置は、これらのデータの受信をトリガーにして、コンテンツを引用（転載）したウェブページの作成処理を開始でき、以降のウェブページ作成に係る所要処理の実行できるようなる。すなわち、第３サーバ装置は、第２サーバ装置からの各種データの受信に伴って、コンテンツアドレスを編集ページに埋め込んで、その編集ページを通信端末装置へ送信するので、通信端末装置ではウェブページ作成に係る処理を編集ページに従い進めることが可能となり、ユーザはコメントの作成に集中してウェブページ（たとえばブログ）を作成できるようになる。【００３６】
以上のように、本発明にあっては、第２サーバ装置が、第１サーバ装置からのコンテンツデータの受信を契機にして処理を開始し、第３サーバ装置へウェブページを作成するにあたり必要なデータを送信するので、共通的な処理手順でウェブページの作成処理が進行されると共に、第１サーバ装置に大幅な処理負担が生じることもなく、ウェブページの作成処理を進行できる。なお、本発明におけるコンテンツは、ウェブサイトに掲載可能なものが対象となり、具体的にはニュース等の記事の記事内容、記事に関する画像（動画、静止画）等が相当する。【００３７】
また、本発明にあっては、利用可能な第３サーバ装置（たとえば、ブログサーバ装置）が複数存在する場合、通信端末装置から第３サーバ装置識別情報を含むコンテンツ要求データを第２サーバ装置へ送信するので、複数のブログサービスの中からユーザが所望するブログサービスを特定して、ブログ等のウェブページを作成できるようになり、複数のブログサービスと提携したビジネス形態が容易に実現可能となる。【００３８】
さらに、本発明にあっては、第３サーバ装置が、作成されたウェブページに係るデータとしてコメント及びコンテンツアドレスを記憶すると共に、記憶するウェブページの閲覧要求を受信すると、閲覧要求の送信元の装置（閲覧端末装置）へ、コメント及びコンテンツアドレスを送信するので、閲覧端末装置へ閲覧要求に係るウェブページのコメントを提供できる。また、閲覧端末装置は、コンテンツアドレスを受信すると、そのコンテンツアドレスに基づいて、コンテンツの取得要求を送信するので、コンテンツの保存元の装置は、取得要求に応じたコンテンツのコンテンツデータを閲覧端末装置へ送信するようになり、閲覧要求に係るウェブページのコンテンツも、各種連携処理を経て閲覧端末装置で表示できるようになる。【００３９】
さらにまた、本発明にあっては、コンテンツデータだけでなく、コンテンツに付随する付随データも第１サーバ装置は第２サーバ装置へ送信すると共に、第２サーバ装置は、その付随データもコンテンツデータに対応付けて記憶するので、閲覧端末装置の閲覧要求に応じて、コンテンツデータに加えて付随データもスムーズに提供し、閲覧端末装置でウェブページを表示する際、コンテンツに付随する付随データも表示できるようになる。なお、コンテンツに付随する付随データとしては、コンテンツに係るＭＥＴＡタグのようなタグ情報、コンテンツの著作権情報（著作権者を表す情報等を含む）、コンテンツに係るタイトル、コンテンツをウェブサイトに掲載した日時等が該当する。【００４０】
本発明にあっては、ウェブページの作成に関する装置間の連携処理を行う第２サーバ装置（連携サーバ装置に相当）が、コンテンツを保存する第１サーバ装置（コンテンツサーバ装置に相当）からコンテンツデータの記憶場所を示すコンテンツアドレスを受信すると、コンテンツアドレスを第３サーバ装置（たとえば、ブログサーバ装置に相当）へ送信するので、第３サーバ装置は、受信したコンテンツアドレスを編集ページに埋め込んで、その編集ページを通信端末装置へ送信する。それにより、通信端末装置はウェブページ作成に係る処理を編集ページに従い進めることができ、しかも、その編集ページに、コンテンツアドレスが予め第３サーバ装置で埋め込まれているので、ユーザはコメントの作成に集中してウェブページを作成できるようになる。【００４１】
このように、本発明にあっては、第２サーバ装置が、中心となって、通信端末装置でウェブページの作成に係る処理を行えるように、第１サーバ装置におけるコンテンツデータの記憶場所を示すコンテンツアドレスを第３サーバ装置へ送信するので、共通的な処理手順でウェブページの作成処理が進行される。また、本発明では、コンテンツが第１サーバ装置に維持されたままになるので、転載元のコンテンツの保存及び保護を第１サーバ装置で確実に行いたい場合に好適となる。【００４２】
本発明にあっては、第１サーバ装置でコンテンツの保存を維持する場合でも、第３サーバ装置が、記憶するウェブページの閲覧要求を受信すると、閲覧要求の送信元の装置（閲覧端末装置）へ、コメント及びコンテンツアドレスを送信するので、閲覧端末装置は、受信したコンテンツアドレスに基づいて、第１サーバ装置からコンテンツデータを取得できるようになる。【００４３】
また、本発明にあっては、ウェブページの作成に係る編集ページを、第２サーバ装置（連携サーバ装置に相当）から、通信端末装置へ送信するので、編集ページの送信に係る処理の効率化を図れると共に、コンテンツアドレスを埋め込んだ編集ページを送信する第２サーバ装置で行う処理内容の集中化を図り、通信端末装置での編集ページの表示をスムーズに進めることが可能となる。なお、第２サーバ装置から通信端末装置へ編集ページを送信する場合でも、利用可能な第３サーバ装置（たとえば、ブログサーバ装置）が複数存在すれば、通信端末装置は、ユーザがウェブページの作成に利用する第３サーバ装置へコメント及びコンテンツアドレスへ送信するので、複数のブログサービスと提携したビジネス形態を容易に提供できる。【００４４】
さらに、本発明にあっては、転載用のコンテンツデータを第２サーバ装置が既に記憶しているか否かを検索し、記憶していない場合は第１サーバ装置へコンテンツ要求データを送信するが、記憶している場合はコンテンツ要求データを送信することなく、検索で該当したコンテンツデータを利用して処理を進めるので、装置間の連携処理の効率化を図れる。さらにまた、本発明にあっては、記憶するコンテンツデータの中に、転載用のコンテンツデータが有った場合でも、基本時間との比較により、そのコンテンツデータが一定時間を経過したものであるかを判定し、一定時間を経過していないときに、検索で該当したコンテンツデータを利用して処理を進めるので、時期的にマッチしないものを排除した上で、効率的にコンテンツデータを転載用として提供できるようになる。【００４５】
さらに、本発明にあっては、第１サーバ装置でコンテンツの保存を維持する場合でも、コンテンツアドレスを埋め込んだ編集ページを、第２サーバ装置（連携サーバ装置に相当）から、通信端末装置へ送信するので、編集ページの送信に係る処理の効率化を図って、通信端末装置での編集ページの表示をスムーズに進められるようになる。【００４６】
本発明にあっては、第２サーバ装置がネットワーク上に設ける管理ウェブサイトの管理サイトアドレスを、第２サーバ装置はコンテンツアドレスと共に、第３サーバ装置へ送信すると共に、第３サーバ装置は、作成されたウェブページのデータを記憶すると、管理サイトアドレスに基づき第２サーバ装置へトラックバックとして送信するので、第２サーバ装置の管理ウェブサイトでは、連携処理により作成されたウェブページのページアドレスを自動で取得できるようなる。その結果、作成するウェブページがブログである場合に、ページアドレスをブログのトラックバックとして第２サーバ装置で管理して、第２サーバ装置に係る管理ウェブサイトで、作成したブログのトラックバックを反映できるようになる。
また、本発明では、このようなトラックバック用のアドレスを、固定アドレス部分と可変アドレス部分を組み合わせて第２サーバ装置が作成し、トラックバックを受けたときに、そのトラックバックに係るアドレスが、作成したものに一致するか比較判断するので、無用なトラックバック（たとえば、広告目的のトラックバック等）を自動で排除できる。【００４７】
また、本発明にあっては、第１サーバ装置が配信するウェブサイトのサイトアドレスは、前記第２サーバ装置を経由して、第３サーバ装置へ送信され、第３サーバ装置は、作成されたウェブページを記憶すると、サイトアドレスに基づき第１サーバ装置へトラックバックを行うので、第１サーバ装置のウェブサイトでは、コンテンツが転載されたウェブページとのリンクを自動で設けられ、コンテンツを含むウェブサイトの閲覧機会を向上に貢献できるようになる。また、本発明でも、トラックバック用のアドレスを、固定アドレス部分と可変アドレス部分を組み合わせて第１サーバ装置が作成し、トラックバックを受けたときに、そのトラックバックに係るアドレスが、作成したものに一致するか比較判断するので、広告目的等の無用なトラックバックを効率良く排除できる。【００４８】
さらに、本発明では、ユーザからウェブページ（ブログ）の作成指示を受け付けることができる表示パーツを第２サーバ装置が、通信端末装置へ送信するので、コンテンツを含むウェブサイト側では、追加表示すべき事項が無いので、コンテンツを含むウェブサイト自体は、そのままの状態で、ブログ作成サービスとの連携を容易に図れるようになる。
さらにまた、本発明では、通信端末装置のブラウザに組み込める指示受付部（ユーザからウェブページ（ブログ）の作成指示を受け付けることができるもの）に応じた表示規定データを、第２サーバ装置が通信端末装置へ送信するので、ブラウザの機能を利用して、ユーザからのウェブページ（ブログ）の作成指示の受け付けが可能な指示受付部を通信端末装置で表示できるようになる。
【発明の効果】
【００４９】
本発明にあっては、本発明にあっては、第２サーバ装置が、第１サーバ装置、第３サーバ装置、及び通信端末装置との間に介在して、ウェブページを作成するにあたり必要なデータの送受を行うので、第１サーバ装置に処理負担を増大させることなく、一元的な処理手順でウェブページの作成処理を進行でき、各装置の協働的な処理を経て、コンテンツを転載したウェブページをユーザが容易に作成できる。【００５０】
また、本発明にあっては、ウェブページの閲覧要求を行う閲覧端末装置へは、第３サーバ装置が、コメント及びコンテンツアドレスを送信するので、送信されたコンテンツアドレスに基づき、閲覧端末装置はコンテンツデータを取得してコメントと共にコンテンツを表示できる。
さらに、本発明にあっては、コンテンツに付随する付随データを第１サーバ装置は第２サーバ装置へ送信すると共に、第２サーバ装置は、その付随データもコンテンツデータに対応付けて記憶するので、閲覧端末装置の閲覧要求に応じて、コンテンツデータに加えて付随データもスムーズに提供し、閲覧端末装置のユーザは、コンテンツに関する周辺情報もコンテンツと同時に確認でき、ユーザの利便性を向上できる。
さらにまた、本発明にあっては、利用可能な第３サーバ装置が複数存在する場合、通信端末装置からの第３サーバ装置識別情報に応じた第３サーバ装置に対して第２サーバ装置が処理を進めるので、複数の第３サーバ装置の中から、ユーザが所望する第３サーバ装置を確実に利用でき、複数のブログサービスと提携したビジネス形態も容易に実現できる。【００５１】
本発明にあっては、第１サーバ装置がコンテンツデータの保管を行う場合でも、第２サーバ装置が、コンテンツアドレスを第３サーバ装置へ適宜送信する連携処理を行うので、所定の手順に従って、ウェブページの作成処理を一元的に進行でき、各装置の協働的な処理を経て、コンテンツを転載したウェブページをユーザが容易に作成できる。
また、本発明にあっては、第１サーバ装置でコンテンツの保管する場合でも、第３サーバ装置が、記憶するウェブページの閲覧要求を受信すると、閲覧端末装置へ、コメント及びコンテンツアドレスを送信するので、閲覧端末装置は、受信したコンテンツアドレスに基づいて、第１サーバ装置からコンテンツデータを取得して、コンテンツを転載した所望のウェブページを閲覧端末装置のユーザに提供できる。【００５２】
本発明にあっては、ウェブページの作成に係る編集ページを、第２サーバ装置から、通信端末装置へ送信するので、編集ページの送信に係る処理をさらに効率良く行えると共に、送信する編集ページには予めコンテンツアドレスが埋め込まれるので、通信端末装置での編集ページの表示を一段とスムーズに進められる。
また、本発明にあっては、第２サーバ装置から通信端末装置へ編集ページを送信する場合でも、利用可能な第３サーバ装置が複数存在すれば、通信端末装置は、ユーザがウェブページの作成に利用する第３サーバ装置へコメント及びコンテンツアドレスへ送信するので、複数のブログサービスと提携したビジネス形態を容易に実現できる。
さらに、本発明にあっては、第１サーバ装置でコンテンツの保存を維持する場合でも、コンテンツアドレスを埋め込んだ編集ページを、第２サーバ装置（連携サーバ装置に相当）から、通信端末装置へ送信するので、編集ページの送信に係る処理の効率化を図って、通信端末装置での編集ページの表示をスムーズに進められる。【００５３】
また、本発明にあっては、第２サーバ装置がコンテンツデータを記憶する場合、転載用のコンテンツデータを第２サーバ装置が既に記憶しているか否かを検索し、記憶していないときは第１サーバ装置へコンテンツ要求データを送信するが、記憶しているときはコンテンツ要求データを送信することなく、検索で該当したコンテンツデータを利用して処理を進めるので、第２サーバ装置が記憶するコンテンツデータの有効利用を図って、装置間の連携を効率的に行える。
さらに、本発明にあっては、記憶するコンテンツデータの中に、転載用のコンテンツデータが有った場合でも、基本時間との比較により、そのコンテンツデータが一定時間を経過したものであるかを判定し、一定時間を経過していないときに、検索で該当したコンテンツデータを利用して処理を進めるので、時期的にマッチしないものを排除した上で、効率的にコンテンツデータを転載用として提供できる。【００５４】
本発明にあっては、第２サーバ装置がネットワーク上に設ける管理ウェブサイトの管理サイトアドレスへ、ウェブページの作成（第３サーバ装置でのウェブページに係るデータの記憶）に連動して自動でトラックバックが行われるので、管理ウェブサイトの有効性を高められる。
また、本発明では、トラックバック用のアドレスを、固定アドレス部分と可変アドレス部分を組み合わせて第２サーバ装置が作成し、トラックバックを受けたときに、そのトラックバックに係るアドレスが、作成したものに一致するか比較判断するので、無用なトラックバックを効率良く排除できる。【００５５】
さらに、本発明にあっては、第１サーバ装置が配信するコンテンツを含むウェブサイトへ、ウェブページの作成（第３サーバ装置でのウェブページに係るデータの記憶）に連動して自動でトラックバックが行われるので、作成されたウェブページと、コンテンツを含むウェブサイトの有用性を高められる。
さらにまた、本発明では、コンテンツを含むウェブサイトへのトラックバック用のアドレスも、固定アドレス部分と可変アドレス部分を組み合わせて第１サーバ装置が作成し、トラックバックを受けたときに、そのトラックバックに係るアドレスが、作成したものに一致するか比較判断するので、無用なトラックバックを自動で排除できる。【００５６】
また、本発明では、ユーザからウェブページ（ブログ）の作成指示を受け付けることができる表示パーツを第２サーバ装置が、通信端末装置へ送信するので、コンテンツを含むウェブサイト自体に特別な追加を行うことなく、ブログ作成サービスとの連携を図れる。
さらに、本発明では、通信端末装置のブラウザに組み込める指示受付部（ユーザからウェブページ（ブログ）の作成指示を受け付けることができるもの）に応じた表示規定データを、第２サーバ装置が通信端末装置へ送信するので、ブラウザの機能を利用して、ユーザからのウェブページ（ブログ）の作成指示の受け付けが可能な指示受付部を通信端末装置で表示でき、よりスムーズにブログ作成サービスを開始できる。
【図面の簡単な説明】
【００５７】
【図１】本発明の第１実施形態に係るブログ作成システムの全体的な構成を示す概略図である。
【図２】コンテンツサーバの内部構成を示すブロック図である。
【図３】ウェブサイトにおけるニュース記事コンテンツのコンテンツページ画面を示す概略図である。
【図４】連携サーバの内部構成を示すブロック図である。
【図５】（ａ）は利用規約ページ画面を示す概略図、（ｂ）は管理ページ画面を示す概略図である。
【図６】収集コンテンツデータベースの中身のイメージを示す図表である。
【図７】ブログサーバの内部構成を示すブロック図である。
【図８】（ａ）はユーザ確認ページ画面を示す概略図、（ｂ）はユーザ登録ページ画面を示す概略図である。
【図９】編集ページ画面を示す概略図である。
【図１０】ユーザデータベースの中身のイメージを示す図表である。
【図１１】ユーザコンピュータの内部構成を示すブロック図である。
【図１２】第１実施形態に係るウェブページ作成方法の部分的な処理手順を示すフローチャートである。
【図１３】第１実施形態に係るウェブページ作成方法の部分的な処理手順を示すフローチャートである。
【図１４】第１実施形態に係るウェブページ作成方法の部分的な処理手順を示すフローチャートである。
【図１５】第１実施形態に係るウェブページ作成方法の部分的な処理手順を示すフローチャートである。
【図１６】作成したウェブページの表示に係るウェブページ作成方法の部分的な処理手順を示すフローチャートである。
【図１７】作成されたブログページ画面を示す概略図である。
【図１８】（ａ）はブックマークレット登録画面を示す概略図、（ｂ）は変形例のブラウザ画面内に表示されたコンテンツページ画面を示す概略図である。
【図１９】（ａ）は変形例の処理手順を示す部分的なフローチャートであり、（ｂ）は別の変形例の処理手順を示す部分的なフローチャートである。
【図２０】記事ＩＤの送信に係る変形例の処理手順を示すフローチャートである。
【図２１】第２実施形態で用いられる簡易編集ページ画面の概略図である。
【図２２】第２実施形態に係るウェブページ作成方法の部分的な処理手順を示すフローチャートである。
【符号の説明】
【００５８】
１  ブログ作成システム
２〜４  ユーザコンピュータ
６  コンテンツページ画面
６ｂ  ニュース画像
６ｃ  著作権情報
６ｄ  ニュースタイトル
６ｅ  ニュース記事
１０  コンテンツサイトシステム
１１  コンテンツサーバ
１３  サイト処理プログラム
１４  サイトデータベース
１７  コンテンツデータベース
２０  ブログ連携システム
２１  連携サーバ
２３  連携処理プログラム
２４  ページデータベース
２５  収集コンテンツデータベース
３０  Ａ社ブログシステム
３１  ブログサーバ
３３  ブログ処理プログラム
３４  サイトページデータベース
３５  ユーザデータベース
３６  ブログデータベース
３７  ユーザ確認ページ画面
３８  ユーザ登録ページ画面
３９  編集ページ画面
６０  ブログページ画面
７０  簡易編集ページ画面
【発明を実施するための最良の形態】
【００５９】
実施の形態１
図１は、本発明の第１実施形態に係るブログ作成システム１（ウェブページ作成システムに相当）の全体的な構成を示している。第１実施形態のブログ作成システム１は、インターネットのようなネットワークＮＷを通じて、コンテンツサイトシステム１０、ブログ連携システム２０、Ａ社ブログシステム３０、Ｂ社ブログシステム４０、Ｃ社ブログシステム５０、及び複数のユーザコンピュータ２〜４を接続したものになっている。【００６０】
ブログ作成システム１の中に含まれるコンテンツサイトシステム１０は、各種コンテンツを紹介するウェブサイト（本実施形態ではニュース配信サイト）の配信運営を行っている者（サイト運営企業）により管理されており、コンテンツ（ニュースコンテンツ）を含むウェブサイトを配信する処理を行うコンテンツサーバ１１を含んでいる。コンテンツサイトシステム１０のサイト運営企業は、配信するウェブサイトで紹介するニュースコンテンツを利用（転載）して、各ユーザがウェブページとしてブログを作成できるように、ブログ作成サービスを提供する複数のブログシステム運営企業（本実施形態では、Ａ社、Ｂ社、Ｃ社の計３社）と提携しているものとする。【００６１】
本発明は、ユーザがブログ（コンテンツを転載するウェブページに相当）を作成する際、コンテンツサイトシステム１０と、ユーザがブログ作成のために登録しているブログシステム３０〜５０のいずれかと、ユーザが利用するユーザコンピュータ２〜４との間で、ブログ連携システム２０が適切な連携処理を行うことで、コンテンツサイトシステム１０に大幅な追加処理を行わせることなく、一元的な効率の良い流れで、容易にブログ作成を行えるようにしたことが特徴になっている。なお、図１に示す第１実施形態では、ブログ作成サービスを提供するブログシステムとして計３社を示しているが、３社に限定されるものではなく、適宜増減が可能である。同様に、図１の第１実施形態では、各ユーザが利用するコンピュータとして、計３台のユーザコンピュータ２〜４を示しているが、ユーザコンピュータの数も適宜増減できる。以下、本発明の第１実施形態について詳説する。【００６２】
図２は、コンテンツサイトシステム１０が有するコンテンツサーバ１１（第１サーバ装置に相当）の内部構成を示している。本実施形態のコンテンツサーバ１１は、画像付きのニュース記事（画像及び記事内容がそれぞれコンテンツに相当）を含んだウェブサイトのデータをアクセス元へ送信し、アクセス元の通信端末装置（たとえば、ユーザコンピュータ２〜４）で、ウェブサイトを構成する各サイトページ（図３参照）を表示させる処理を行うものである。本実施形態では、コンテンツサーバ１１として、一般的なサーバコンピュータを適用しており、コンテンツサーバ１１は、ＣＰＵ１１ａ、通信インタフェース１１ｂ、ＲＡＭ１１ｃ、ＲＯＭ１１ｄ、表示部１１ｅ、操作受付部１１ｆ、ハードディスク装置１１ｇを内部バス１１ｈで接続した構成になっている。【００６３】
ＣＰＵ１１ａは、ハードディスク装置１１ｇ等に記憶される各種プログラムの規定内容に従って各種制御処理を行うものであり、たとえば通信インタフェース１１ｂ等を用いてさまざまなデータの送受信を制御し、ウェブサイトの配信処理等において中心的な制御処理を行う。通信インタフェース部１１ｂは、ネットワークＮＷと接続されており、ＣＰＵ１１ａの制御により各種データの送受を行う。ＲＡＭ３２は、ＳＲＡＭまたはフラッシュメモリ等で構成され、ＣＰＵ１１ａがプログラムに基づき各種処理を実行する際に発生する一時的なデータを記憶する。ＲＯＭ１１ｄは、ＣＰＵ１１ａが行う基本的な処理等を規定したプログラム等を予め記憶する。【００６４】
表示部１１ｅはディスプレイ装置及び表示処理のインタフェース等で構成されており、コンテンツサーバ１１を管理するサーバ管理者に視覚的な情報を提供する。操作受付部１１ｆは、コンテンツサーバ１１のサーバ管理者の指示を受け付けるインタフェースであり、たとえば、キーボード、マウス等が相当し、管理者から受け付けた指示内容を、内部バス１１ｈを通じてＣＰＵ１１ａへ伝える。【００６５】
ハードディスク装置１１ｇは、サーバプログラム１２、サイト処理プログラム１３、サイトデータベース１４、及びコンテンツデータベース１７等を記憶している。サーバプログラム１２は、サーバコンピュータに関するオペレーションシステムに関する内容を規定したプログラムである。また、サイト処理プログラム１３は、基本的にウェブサイトの配信及びブログ連携（トラックバックを受ける処理等も含む）に関する処理内容を規定したプログラムであり、本実施形態に関連する各種処理も規定している。【００６６】
サイト処理プログラム１３の本実施形態に関連する特徴的な処理内容としては、ブログ連携システム２０（連携サーバ２１）からコンテンツの要求（記事ＩＤが指定されたコンテンツの取得要求）に係るリクエストデータ（コンテンツ要求データに相当）を受信すると、リクエストに応じたコンテンツに係るデータ（コンテンツデータ、コンテンツ付随データ、及びコンテンツに係るウェブサイトのコンテンツページへのトラックバック用となるトラックバックＵＲＬ等）をハードディスク装置１１ｇから読み出して、ブログ連携システム２０へ送信する処理を規定していることが挙げられる。【００６７】
また、ハードディスク装置１１ｇが記憶するサイトデータベース１４は、コンテンツサーバ１１がアクセス元へ配信するウェブサイトを構成する各種ページデータ（ページごとに付けられたＵＲＬを含むページデータ）を格納したものである。サイトデータベース１４に格納されるページデータには、トップページデータ１５、第１コンテンツページデータ１６ａ、第２コンテンツページデータ１６ｂ・・・第ｎコンテンツページデータ１６ｎ等がある。【００６８】
トップページデータ１５は、コンテンツサーバ１１が配信するウェブサイトのトップページを表示するためのデータであり、スクリプト系の言語による記載（たとえば、ＪＡＶＡ（登録商標）スクリプトによる記載）等を含む各種内容をマークアップ言語（ＨＴＭＬ、ＸＭＬ等）で記述したデータ内容等になっている。また、各コンテンツページデータ１６ａ、１６ｂもトップページデータ１５と同様に、スクリプト系の言語による記載等を含む各種内容をマークアップ言語（ＨＴＭＬ、ＸＭＬ等）で記述したデータ内容になっている。データ内容として記述される中身は、コンテンツサーバ１１へのアクセス用のＵＲＬ、紹介するニュース記事に応じたコンテンツデータを記事ＩＤに基づき指定すること、その指定したコンテンツデータのページ内における配置箇所を規定すること、コンテンツに付随するコンテンツ付随データ（たとえば、ＭＥＴＡタグ、記事のタイトル、掲載日時、記事概要（記事の一部）、図３に比べて小サイズの記事画像、著作権情報等）を指定すること、指定したコンテンツ付随データのいずれかをページ内に配置すること、連携サーバ２１へアクセスするためのアドレス等の記述、転載ボタンの表示要求を連携サーバ２１へ送信すること、要求に応じて送信されてきた転載ボタンデータに基づき転載ボタン（ブログボタン）を表示すること等があり、トラックバックがあれば、トラックバックを表示する規定等も含んだ内容になっている。【００６９】
さらに、ハードディスク装置１１ｇが記憶するコンテンツデータベース１７は、ウェブサイトで紹介する各コンテンツに応じた第１コンテンツデータ１７ａ、第２コンテンツデータ１７ｂ等を記事識別用の記事ＩＤ（コンテンツ識別情報に相当）と対応付けて格納したものである。コンテンツデータベース１７に格納される中で、たとえば第１コンテンツデータ１７ａは、上述した第１コンテンツページデータ１６ａで指定されるコンテンツ（ニュース画像、ニュース記事）に関するデータである。また、図示していないが、コンテンツデータベース１７は、各コンテンツデータ１７ａ、１７ｂ等に対応するコンテンツ付随データも記事ＩＤに対応付けて記憶している。なお、コンテンツデータベース１７が、記事ＩＤに対応付けて、各コンテンツデータ１７ａ、１７ｂ等を記憶することには、各コンテンツデータ１７ａ、１７ｂ等に記事ＩＤを付加させて記憶する場合も含まれるものとする（コンテンツ付随データについても同様）。【００７０】
上述したサイトデータベース１４に格納される各コンテンツページデータ１６ａ、１６ｂ等およびコンテンツデータベース１７に格納される各コンテンツデータ１７ａ、１７ｂ等は、新たなニュース記事が発生すると、その発生したニュース記事に対応するデータがサーバ管理者により随時更新、増強されている。また、ユーザコンピュータからアクセスを受けて、ユーザが閲覧を希望するウェブページ（コンテンツページ）を提供する場合は、ユーザの閲覧希望に対応するコンテンツページデータと共に、そのページで指定されるコンテンツデータ及びコンテンツ付随データ等がアクセス元のユーザコンピュータへコンテンツサーバ１１から送信される。【００７１】
図３は、コンテンツページデータ、コンテンツデータ及びコンテンツ付随データ等が、アクセス元のユーザコンピュータへコンテンツサーバ１１等から送信されて、それらのデータがユーザコンピュータの表示部で表示された状態を示すコンテンツページ画面６である（コンテンツページ画面６のボタン７ａ〜７ｃ等は、連携サーバ２１から送信されるデータに基づいて表示される）。コンテンツページ画面６は、ユーザコンピュータで作動するブラウザプログラムに応じたブラウザ画面Ｂの中で配置されるものであり、ブラウザプログラムの機能により、送信されてきたコンテンツページデータに係るマークアップ言語の記述内容に従って、図３に示すようなコンテンツページ画面６が表示される。【００７２】
コンテンツページ画面６は、上部に配置した一列のメニュー欄６ａ（選択操作の受け付けが可能な欄）を配置すると共に、そのメニュー欄６ａの下方に、コンテンツ付随データに応じたニュースタイトル６ｄ（東北地方で記録的な大雪）、画像コンテンツデータに応じたニュース画像６ｂ（記事ＩＤを含むコンテンツデータに相当）、コンテンツ付随データに応じた著作権情報６ｃ（2008.3.3 山田○△夫撮影）を順に配置し、ニュース画像６ｂの右方に、記事コンテンツデータに応じたニュース記事６ｅ（記事ＩＤを含むコンテンツデータに相当）を配置している。【００７３】
また、コンテンツページ画面６は、コンテンツページデータに含まれるスクリプト系の記載により、ニュース記事６ｅの下方に、連携サーバ２１から送信される転載ボタンデータに応じたＡ社ブログボタン７ａ、Ｂ社ブログボタン７ｂ、Ｃ社ブログボタン７ｃを配置している。ユーザの選択操作が受付可能な各ブログボタン７ａ〜７ｃ（表示パーツに相当）は、各社のブログシステム３０〜５０に含まれるブログサーバ３１〜５１（複数の第３サーバ装置に相当）に対応しており、それぞれが対応するブログサーバ３１〜５１を識別するブログサイトＩＤ（第３サーバ装置識別情報に相当）と、連携サーバ２１とのリンクを含んでいる。そのため、それぞれのブログボタン７ａ〜７ｃで、ブログサーバ３１〜５１のそれぞれに対応して作成指示を受け付け可能になっている。すなわち、各ブログボタン７ａ〜７ｃは、ユーザからの選択を受け付けると、ブログ作成指示が入力されたことになり、選択されたブログボタンに含まれるブログサーバ識別情報と、コンテンツページ画面６に含まれるコンテンツデータの記事ＩＤを含むブログ作成指示がリンク先の連携サーバ２１へ送信されるようになっている。コンテンツページ画面６は、各ブログボタン７ａ〜７ｃの下方に、このニュース（コンテンツ）を転載したブログへのリンクを示すトラックバックの一覧を示すトラックバック欄８を設けている。なお、図３に示すコンテンツページ画面６は、あくまで一例であり、コンテンツデータの内容により、配置されるニュース画像、ニュース記事等は、異なる。【００７４】
一方、図４は、ブログ連携システム２０が有する連携サーバ２１（第２サーバ装置（連携サーバ装置）に相当）の内部構成を示している。ブログ連携システム２０（連携サーバ２１）は、図１に示す各システム１０、３０〜５０、及びユーザコンピュータ２〜４の間で、ブログ作成の際に必要な各装置間の連携処理サービスを提供する者（連携処理サービスの提供企業）により運営管理されている。連携サーバ２１は、上述したコンテンツサーバ１１と同様に一般的なサーバコンピュータであり、ＣＰＵ２１ａ、通信インタフェース２１ｂ（通信手段に相当）、ＲＡＭ２１ｃ、ＲＯＭ２１ｄ、表示部２１ｅ、操作受付部２１ｆ、ハードディスク装置２１ｇ（記憶手段に相当）を内部バス２１ｈで接続した構成になっており、各部２１ａ〜２１ｈの基本的な役割は、コンテンツサーバ１１と同様である。【００７５】
また、ハードディスク装置２１ｇは、サーバプログラム２２、連携処理プログラム２３（コンピュータプログラムに相当）、ページデータベース２４、収集コンテンツデータベース２５、及びリンクデータベース２８等を記憶している。サーバプログラム２２は、サーバコンピュータに関するオペレーションシステムに関する内容を規定したプログラムである。連携処理プログラム２３（コンピュータプログラムに相当）は、連携サーバ２１が行う連携処理を規定したものであり、規定内容に従ってＣＰＵ２１ａが各種処理を行う。なお、連携処理プログラム２３が規定する詳細内容は後述する。【００７６】
ハードディスク装置２１ｇが記憶するページデータベース２４は、連携サーバ２１が提供するウェブページのページデータを格納したものであり、本実施形態ではトップページデータ２４ａ、利用規約ページデータ２４ｂ、管理ウェブサイトに係る管理ページデータ２４ｃ等を保存している。利用規約ページデータ２４ｂは、ユーザが連携サーバ２１による連携サービスの提供を受ける際に、ユーザコンピュータへ送信されるものであり、利用規約を表示するための内容及び選択可能なボタン等を表示するための内容をマークアップ言語（ＨＴＭＬ、ＸＭＬ等）で記述したデータ内容になっている。【００７７】
図５（ａ）は、ユーザコンピュータの表示部で表示された利用規約ページデータ２４ｂに応じた利用規約ページ画面２６を示し、利用規約ページ画面２６は、利用規約ページデータ２４ｂのデータ記述内容が、ユーザコンピュータで作動するブラウザプログラムの機能に従ってブラウザ画面内に表示されるものである。利用規約ページ画面２６は、複数の条項内容を記載した利用規約欄２６ａを含むと共に、同意ボタン２６ｂ（「同意する」と記載されたボタン）及び非同意ボタン２６ｃ（「同意しない」と記載されたボタン）を選択可能に配置している。なお、同意ボタン２６ｂが、ユーザの選択操作を受け付けると、同意された旨を示す返信データが連携サーバ２１へ返信される記述を利用規約ページデータ２４ｂは含んでおり、さらに、非同意ボタン２６ｃが、ユーザの選択操作を受け付けると、同意されていない旨を示す返信データが連携サーバ２１へ返信される記述を含んでいる。【００７８】
図５（ｂ）は、管理ページデータ２４ｃに応じた管理ウェブサイト（連携サーバ２１がネットワーク上に設けているウェブサイトに相当）の管理ページ画面２７が、ユーザコンピュータ等の表示部で表示された状態を示している。管理ページ画面２７は、連携サーバ２１の連携処理を経て作成されたブログのトラックバックを載せたものであり、この管理ページ画面２７を見るだけで、連携により作成されたブログを確認できるようになっている。なお、管理ページ画面２７は、管理ページデータ２４ｃにトラックバックが追加される毎に画面内容が更新される。【００７９】
図６は、収集コンテンツデータベース２５の中身の概要イメージを示している。収集コンテンツデータベース２５は、上述したコンテンツサーバ１１から送信されてきたコンテンツデータ、コンテンツ付随データ、連携サーバ２１で作成される転載記述データ、及びコンテンツデータに係るコンテンツが載ったウェブページへのトラックバックＵＲＬ（コンテンツサーバ１１へのトラックバック時に用いるＵＲＬ）等を、記事ＩＤに対応付けて格納（記憶）したものであり、格納されるデータは、コンテンツサーバ１１からの送信ごとに追加されている。なお、収集コンテンツデータベース２５は、各データを格納時の日時（記憶日時）と共に格納しているものとし、また、図６では、収集コンテンツデータベース２５に格納されるトラックバックＵＲＬの図示は省略している。【００８０】
また、リンクデータベース２８は、図１に示す各社のブログシステム３０〜５０に含まれるブログサーバ３１〜５１のブログサイトＩＤのそれぞれに紐付けて、各ブログサーバ３１〜５１へのアクセス先を示すブログサーバアドレス、図３に示す各ブログボタン７ａ〜７ｃ（転載ボタンに相当）の転載ボタン画像ＵＲＬ（転載ボタンデータ）等を格納している。【００８１】
なお、各ブログボタン７ａ〜７ｃ（表示パーツに相当）を表示させるための転載ボタンデータ（たとえば、スクリプト系の言語による記述データ）は、各ブログボタン７ａ〜７ｃを表示させる旨以外にも様々な内容を記述している。具体的に転載ボタンデータは、連携サーバ２１へアクセスするためのリンクＵＲＬ（アドレスデータ）、ブログボタン７ａ〜７ｃごとに対応するブログ作成サービスの提供企業のサーバを示すブログサイトＩＤを記述すると共に、各ブログボタン７ａ〜７ｃが選択されたときにコンテンツページ画面６（コンテンツページデータ）に含まれるコンテンツの記事ＩＤ等を抜き出し、各データを含んだ作成指示（作成指示データ）を、上記のリンクＵＲＬに基づきを送信する処理等を記述している。【００８２】
次に、連携処理プログラム２３の詳細について説明する。連携処理プログラム２３は、様々な処理内容を規定しており、具体的には、まず、連携サーバ２１が、転載ボタンの表示要求を示す要求データを受信すると、リンクデータベース２８に含まれる転載ボタンデータをハードディスク装置２１ｇから読み出して、要求元の装置（たとえば、コンテンツサーバ１１にアクセスしたユーザコンピュータ）へ通信インタフェース２１ｂを通じて送信することを規定している。また、ブログ作成を指示するブログ作成指示データ（転載対象となるコンテンツの記事ＩＤ等を含むデータ）を受信すると、そのデータの送信元へ、上述した利用規約データ２４ａを送信することを規定している。また、同意された旨を示す返信データを受信すると、記事ＩＤを指定したコンテンツのリクエストデータをコンテンツサーバ１１へ通信インタフェース２１ｂを通じて送信することを連携処理プログラム２３は規定している。さらに、連携処理プログラム２３は、コンテンツサーバ１１から、コンテンツデータ及びコンテンツ付随データ等を受信すると、コンテンツに係るデータのブログへの転載処理を記述した内容をスクリプト言語（ＪＡＶＡ（登録商標）スクリプト）で作成し、その記述を含んだ全体的な連携処理を記述した転載記述データをＸＭＬ形式で作成し、これらのデータ（コンテンツデータ、転載記述データ、及びコンテンツ付随データ等）を上述した収集コンテンツデータベース２５に、記事ＩＤに対応付けて格納する処理も規定している。【００８３】
そして、連携処理プログラム２３は、作成指示データに含まれるブログサイトＩＤ（サービス会社識別データ）に応じたブログシステムへ、コンテンツサーバ１１から受信したコンテンツデータに係る記事ＩＤ（コンテンツ識別データに相当）及びブログサイトＩＤ等を、アクセス元のユーザコンピュータを示すアドレスデータと共に送信することを規定している。【００８４】
さらにまた、連携処理プログラム２３は、ブログシステムからユーザＩＤが送信されてくると、ブログシステムへ送信した記事ＩＤに対応付けられたコンテンツデータ、コンテンツ付随データ及び転載記述データ等の収集コンテンツデータベース２５における記録場所を示すコンテンツアドレスのデータ（具体的には、コンテンツデータの記憶場所を示すＵＲＬ、コンテンツ付随データの記憶場所を示すＵＲＬ、転載記述データの記憶場所を示すＵＲＬ）に加えて、コンテンツ付随データに含まれる記事概要データ、小さいサイズの画像データ、著作権情報等を読み出して、前の段階で記事ＩＤを送信した先のブログシステムへ連携サーバ２１のトラックバックＵＲＬ（管理ウェブサイトの管理サイトアドレスに相当）及びコンテンツサーバ１１のトラックバックＵＲＬ（収集コンテンツデータベース２５に記憶されており、コンテンツサーバ１１が配信するウェブサイトのサイトアドレスに係るコンテンツページのリンクデータ）と共に送信する旨を規定している。なお、連携処理プログラム２３は、作成されたブログの閲覧に応じてコンテンツデータ等の取得要求をユーザ端末等から受信すると、要求されたコンテンツデータ及びそのコンテンツデータに対応付けられたコンテンツ付随データ等を取得コンテンツデータベース２５から読み出して、要求元へ送信する旨を規定している。【００８５】
一方、図７は、Ａ社ブログシステム３０が有するＡ社のブログサーバ３１の内部構成を示している。Ａ社ブログシステム３０（ブログサーバ３１を含む）は、ブログ作成サービスをユーザに提供しているＡ社によって運営管理されている。図１に示す各社のブログシステム３０〜５０に含まれるブログサーバ３１〜５１（第３サーバ装置に相当）は、各社間で基本的に同等であるため、Ａ社のブログサーバ３１で代表して以下、説明する。【００８６】
ブログサーバ３１は、上述したコンテンツサーバ１１及び連記サーバ２１と同様に、一般的なサーバコンピュータであり、ＣＰＵ３１ａ、通信インタフェース３１ｂ、ＲＡＭ３１ｃ、ＲＯＭ３１ｄ、表示部３１ｅ、操作受付部３１ｆ、ハードディスク装置３１ｇを内部バス３１ｈで接続した構成になっており、各部３１ａ〜３１ｈの基本的な役割は、コンテンツサーバ１１及び連携サーバ２１と同様である。【００８７】
また、ハードディスク装置３１ｇは、サーバプログラム３２、ブログ処理プログラム３３、サイトページデータベース３４、ユーザデータベース３５、及びブログデータベース３６等を記憶している。サーバプログラム３２は、サーバコンピュータに関するオペレーションシステムに関する内容を規定したプログラムである。ブログ処理プログラム３３は、ブログサーバ３１が行う各種処理を規定したものであり、規定内容に従ってＣＰＵ３１ａが各種制御を行う。ブログ処理プログラム３３が規定する内容としては、ユーザ登録に関する内容、ブログ作成時に編集ページを提供する内容、編集ページを介して作成されたブログのデータ（編集ページで受け付けたデータ）をユーザ毎に記憶する内容、記憶するブログ（ブログのデータ）を要求に応じて送信する内容等があり、詳細は後述する。【００８８】
ハードディスク装置３１ｇが記憶するサイトページデータベース３４は、ブログサーバ３１が提供するウェブページのページデータを格納したものであり、本実施形態ではユーザ確認ページデータ３４ａ、ユーザ登録ページデータ３４ｂ、編集ページデータ３４ｃ等がある。ユーザ確認ページデータ３４ａは、Ａ社のブログ作成サービスを利用するユーザが、登録ユーザであるかを確認するためのページであり、ユーザＩＤ等の入力欄が設けられていると共に、未登録のユーザへはユーザ登録ページへのリンクが貼られており、このような内容のユーザ確認ページを表示するための内容等をマークアップ言語（ＨＴＭＬ、ＸＭＬ等）で記述したデータ内容になっている。【００８９】
図８（ａ）は、ユーザコンピュータの表示部で表示されたユーザ確認ページデータ３４ａに応じたユーザ確認ページ画面３７を示している。ユーザ確認ページ画面３７は、ユーザ確認ページデータ３４ａのデータ記述内容がユーザコンピュータで作動するブラウザプログラムの機能に従ってブラウザ画面内に表示されるものである。ユーザ確認ページ画面３７は、Ａ社のサービスに対して登録しているユーザのユーザＩＤを入力するＩＤ入力欄３７ａ、ユーザが登録時に設定しているパスワードを入力するパスワード入力欄３７ｂ、ログインボタン３７ｃ、及び未登録ユーザに対するリンクボタン３７ｄを配置している。【００９０】
ログインボタン３７ｃは、ユーザの選択操作を受け付け可能になっており、各入力欄３７ａ、３７ｂにユーザＩＤ、パスワードが入力された状態で、選択操作を受け付けると、入力されたユーザＩＤ、パスワードがブログサーバ３１へ送信されるようになっている。また、リンクボタン３７ｄも、ユーザの選択操作を受け付け可能になっており、選択操作を受け付けると、サイトページデータベース３４に格納されているユーザ登録ページデータ３４ｂの要求を示す要求データが、ブログサーバ３１へ送信されるようになっている。【００９１】
図８（ｂ）は、ユーザコンピュータの表示部で表示されたユーザ登録ページデータ３４ｂに応じたユーザ登録ページ画面３８を示している。ユーザ登録ページ画面３８は、ユーザ登録に必要な複数の入力欄３８ａを有すると共に、選択可能な登録ボタン３８ｂと、戻るボタン３８ｃを有している。入力欄３８ａに所定の事項が入力された状態で、登録ボタン３８ｂが選択操作を受け付けると、入力された各データが、ブログサーバ３１へ送信されるようになっている。また、戻るボタン３８ｃが選択操作を受け付けた場合は、図８（ａ）のユーザ確認ページ画面３７を再表示するために、ユーザ確認ページデータ３４ａの要求を示す要求データが、ブログサーバ３１へ送信されるようになっている。【００９２】
図９は、編集ページデータ３４ｃに応じた編集ページ画面３９が、ユーザコンピュータの表示部で表示された状態を示している。編集ページデータ３４ｃは、ユーザコンピュータで作動するブラウザプログラムに応じたブラウザ画面Ｂを通じて表示されるものであり、連携サーバ２１から送信されたコンテンツに係るデータが自動的に編集ページ内に埋め込まれるような処理の記述を含んだデータ内容になっている。【００９３】
編集ページ画面３９は、ユーザによって入力されるタイトル入力欄３９ａ、ユーザコンピュータのクロック機能から自動的にブログ作成日時が埋め込まれる日時欄３９ｂ、コンテンツデータ（ニュース画像コンテンツデータ及びニュース記事コンテンツデータ）の連携サーバ２１の収集コンテンツデータベース２５における記憶場所を示すＵＲＬ（http://rennkei.jp/gazou/gazou_1、http://rennkei.jp/kiji/kiji_1）が埋め込まれるコンテンツアドレス欄３９ｃ、コンテンツ付随データの一部（ニュースタイトル、小さいサイズの画像データＧ１、記事概要データＫ１等）が埋め込まれたコンテンツ欄３９ｄ、及びユーザ操作により入力されるユーザのコメントを受け付けるコメント欄３９ｅを配置している。【００９４】
さらに、編集ページ画面３９は、コメント欄３９ｅの下方に選択可能な確認ボタン３９ｅ及び保存ボタン３９ｆを有している。確認ボタン３９ｅがユーザの選択操作を受け付けると、編集ページ画面３９で入力されているデータ及び埋め込まれているデータに基づくブログページ画面（図１７参照）が表示されるように、表示用データ等の要求データがブログサーバ３１へ送信されるようになっている。また、保存ボタン３９ｆがユーザの選択操作を受け付けると、編集ページ画面３９で入力されているデータ及び埋め込まれているデータが、ブログサーバ３１へ送信されるようになっており、送信された各データは、ブログデータベース３６に格納される。【００９５】
図１０は、ハードディスク装置３１ｇに記憶されるユーザデータベース３５の中身の概要イメージを示している。ユーザデータベース３５は、図８（ｂ）のユーザ登録ページ画面３８で入力されたデータ等を、ユーザＩＤごとに対応付けて格納したものである。ユーザＩＤごとに格納される事項として、パスワード、ユーザブログＵＲＬ、ユーザ名等がある。なお、図１０では、ユーザＩＤには便宜的に数字を用いているが、数字以外にも、漢字、ひらがな、カタカナ、アルファベット、記号等を用いることが可能であり、さらには、数字、漢字、ひらがな、カタカナ、アルファベット、記号等によりユーザを識別可能な文字列を含ませるようにしてもよい。【００９６】
また、ハードディスク装置３１ｇに記憶されるブログデータベース３６は、図９の編集ページ画面３９で入力されたデータ及び埋め込まれたデータを、ユーザごとに日時（保存対象のデータの作成に応じた日時）と対応付けて保存格納したものである。具体的にブログデータベース３６は、登録ユーザのユーザＩＤごとに第１ユーザブログフォルダ３６ａ（たとえば、ユーザＩＤが００００１のユーザ用のフォルダ）、第２ユーザフォルダ３６ｂ（たとえば、ユーザＩＤが００００２のユーザ用のフォルダ）等を有している。各ユーザブログフォルダ３６ａ、３６ｂには、ユーザが作成したブログのデータ（編集ページ画面３９で入力されたデータ及び埋め込まれたデータ）が、１つのブログページごとに１つのファイルで保存されており、ユーザの設定登録している基本背景データ等も保存されている。また、これらのユーザブログフォルダ３６ａ、３６ｂ等のブログデータベース３６における記憶箇所が、ユーザブログＵＲＬに相当している。【００９７】
ハードディスク装置３１ｇに記憶されているブログ処理プログラム３３の詳細について説明する。ブログ処理プログラム３３は、連携サーバ２１から、ユーザコンピュータのアドレスデータと共に記事ＩＤ等を受信すると、それをトリガーとして処理を開始する旨を規定しており、連携サーバ２１から伝えられたアドレスデータが示すアドレス先（ユーザコンピュータ）へ、図８（ａ）のユーザ確認ページ画面３７に応じたユーザ確認ページデータ３４ａを送信することを規定している。また、ユーザ確認ページ画面３７で入力されたユーザＩＤ及びパスワードを受信すると、ブログ処理プログラム３３は、図１０のユーザデータベース３５を参照して、登録ユーザであるか否かを検出する旨を規定している。登録ユーザであることを判断すると、ブログ処理プログラム３３は、ユーザＩＤ及びそのユーザＩＤに対応付けられているユーザブログＵＲＬを連携サーバ２１へ送信する。さらに、送信したユーザＩＤに呼応して連携サーバ２１から送信されたコンテンツアドレスのデータ、記事概要データ、小さいサイズの画像データ、著作権情報、トラックバック先のＵＲＬ（連携サーバ２１の管理ページ画面２７のＵＲＬ及びコンテンツサーバ１１のコンテンツページ画面６のＵＲＬ）等の各種データを受信すると、ブログサーバ３１が、受信した各種データを図９の編集ページ画面３９の各欄３９ｃ、３９ｄへ埋め込む処理を行い、その各種データを埋め込んだ編集ページデータ３４ｃを、アドレスデータが示すアドレス先（ユーザコンピュータ）へ送信する旨をブログ処理プログラム３３は規定している。【００９８】
さらにまた、ブログ処理プログラム３３は、図９の編集ページ画面３９で入力されたデータ及び埋め込まれたデータ（各データは、作成したブログのデータに相当）を受信すると、受信した各データをブログデータベース３６内のユーザＩＤに対応するユーザブログフォルダ３６ａ、３６ｂに保存する旨を規定している。そして、ブログ処理プログラム３３は、受信した各データを記憶すると、ブログが作成されたとして、そのブログ（ウェブページ）のブログページアドレス等をトラックバックとして、管理ページ画面２７のＵＲＬ及びコンテンツページ画面６のＵＲＬを参照して連携サーバ２１及びコンテンツサーバ１１へ送信する旨を規定している。その上、ブログ処理プログラム３３は、ブログデータベース３６に格納されている各ユーザブログフォルダに含まれるブログデータ（作成されたブログのデータ）に応じたブログに対して閲覧要求があると、その閲覧要求元へブログデータを送信する旨を規定している。なお、ブログの閲覧要求は一般に、ユーザブログＵＲＬの直接入力、検索サイトでの検索結果からの選択、ブックマークの選択、トラックバックの送信先サイトでのリンク選択等を経て行われる。【００９９】
最後に、図１に示すユーザコンピュータ２、３、４について説明する。ユーザコンピュータ２、３、４は、ユーザがブログを作成する場合、通信端末装置として利用されると共に、作成されたブログをユーザが閲覧する場合は、閲覧端末装置として利用される。本実施形態では、ユーザコンピュータ２、３、４に、汎用のパーソナルコンピュータを適用しており、基本的な構成はいずれも同等であるため、以下の説明ではユーザコンピュータ２で代表して各ユーザコンピュータの構成を説明する。【０１００】
図１１は、ユーザコンピュータ２の主要な内部構成を示している。ユーザコンピュータ２は、ＣＰＵ２ａ、通信インタフェース２ｂ、ＲＡＭ２ｃ、ＲＯＭ２ｄ、表示部２ｅ（表示パネル等が該当。ブログページ画面等の各種画面の表示を行う）、操作受付部２ｆ（キーボード、マウス、トラックバッド等が該当）、及びハードディスク装置２ｇを、内部バス２ｈを介して接続した構成になっている。ＣＰＵ２ａ〜ハードディスク装置２ｇ等の各機能は、上述した各サーバ１１、２１、３１等と同等である。【０１０１】
また、ハードディスク装置２ｇは、ＯＳプログラムＰ１及びブラウザプログラムＰ２等を記憶している。ＯＳプログラムＰ１は、パーソナルコンピュータ向けのオペレーションシステムに関する内容を規定したプログラムである。また、ブラウザプログラムＰ２は、各種ウェブサイト等に応じたマークアップ言語で記載されたデータの表示処理を規定すると共に、表示対象の言語にスクリプト系の記載（たとえば、ＪＡＶＡ（登録商標）スクリプトによる記載）があれば、その記載に係る各種処理等をブラウザ上で実行できるようになっている。このようなブラウザプログラムＰ２の規定内容により、ユーザコンピュータ２のユーザは、ブラウザプログラムによるブラウザ画面を通じてブログの作成及び閲覧等を行うことができる。【０１０２】
次に、上述したユーザコンピュータ２〜４の中で、ユーザコンピュータ２を利用するユーザが、コンテンツサイトシステム１０が配信するウェブサイトに掲載されたコンテンツ（ニュース記事及びニュース画像）を転載したブログを作成する場合で、本実施形態に係るブログ作成システム１の処理内容を説明する。なお、ユーザコンピュータ２のユーザ（第１ユーザに相当）は、予めＡ社ブログシステム３０が提供しいているブログ作成サービスにユーザ登録しているものとする（ユーザＩＤは００００１）。【０１０３】
図１２〜図１５に示す各フローチャートは、ブログ作成システム１がブログ作成を行う場合の処理手順（ウェブページ作成方法の処理ステップに相当）を示している。以下、これらのフローチャートに従って、ユーザコンピュータ２でブログを作成する場合の処理流れを説明する。まず、ユーザコンピュータ２は、ユーザの操作指示に従ってブラウザプログラムＰ２を作動させて、コンテンツサイトシステム１０が配信するウェブサイトの所望のコンテンツページ（ニュース記事ページ）を表示するため、コンテンツサーバ１１へアクセスする（Ｓ１）。なお、このアクセスは、ユーザの所望するニュース記事ページのＵＲＬに基づきユーザコンピュータ２が行う。【０１０４】
コンテンツサーバ１１は、ユーザコンピュータ２からアクセスを受けると、アクセスに係るＵＲＬに応じたニュース記事ページのデータ（たとえば、第１コンテンツページデータ１６ａ）をサイトデータベース１４から読み出すと共に、そのニュース記事ページに係るコンテンツのデータ（たとえば、第１コンテンツデータ１７ａ）及びコンテンツ付随データ等をコンテンツデータベース１７から読み出して、読み出した各データをユーザコンピュータ２へ送信する（Ｓ２）。ユーザコンピュータ２は、コンテンツサーバ１１から送信されたコンテンツページデータに係るウェブサイト（コンテンツページ画面）の表示を行うにあたり、受信したコンテンツデータに含まれる記述内容に従って、転載ボタンの表示に係るリクエストデータ（パーツ要求データに相当）を連携サーバ２１へ送信する（Ｓ３）。連携サーバ２１は、リクエストデータを受信すると、ハードディスク装置２１ｇのリンクデータベース２８の中から転載ボタンデータを読み出して、リクエストデータの送信元のユーザコンピュータ２へ送信する（Ｓ４）。ユーザコンピュータ２は、コンテンツサーバ１１及び連携サーバ２１からそれぞれ送信された各データの表示処理を行って、ブラウザ上で図３に示すように、各ブログボタン７ａ〜７ｃを中程の下方に配置したコンテンツページ画面６の表示を行う（Ｓ５）。【０１０５】
次に、ユーザコンピュータ２は、コンテンツページ画面６（コンテンツに係るウェブサイトに相当）の表示中に、コンテンツページ画面６に配置されたＡ社ブログボタン７ａが、操作受付部２ｆでのユーザの選択操作により、Ａ社ブログボタン７ａの選択を受け付けたか否かを判断する（Ｓ６）。Ａ社ブログボタン７ａの選択を受け付けなかった場合（Ｓ６：ＮＯ）、ユーザコンピュータ２は、本発明の本筋とは異なる他の処理を行う（Ｓ７）。なお、Ｓ７へ進んだ場合のそれ以降の処理については説明を省略する（フローチャートでは、「エンド」として表現。以下同様）。【０１０６】
一方、Ａ社ブログボタン７ａの選択（コンテンツを転載するブログページの作成指示に相当）を受け付けた場合（Ｓ６：ＹＥＳ）、ユーザコンピュータ２は、Ａ社ブログボタン７ａのリンク先となる連携サーバ２１へ、コンテンツページ画面６に配置されたコンテンツ（ニュース記事コンテンツ）を示す記事ＩＤ、コンテンツサーバ１１へのアクセス用のアクセス先データ及びＡ社のブログサーバ３１に係るブログサイトＩＤを含んだ作成指示データを送信する（Ｓ８）。【０１０７】
作成指示データを受信した連携サーバ２１は、利用規約ページデータ２４ｂを読み出し、作成指示データの送信元のユーザコンピュータ２へ利用規約ページデータ２４ｂを送信する（Ｓ９）。利用規約ページデータ２４ｂを受信したユーザコンピュータ２は、ブラウザ上に図５（ａ）に示す利用規約ページ画面２６を表示する（Ｓ１０）。ユーザコンピュータ２は、利用規約ページ画面２６の同意ボタン２６ｂの選択を受け付けたか否かを判断し（Ｓ１１）、同意ブログボタン２６ｂの選択を受け付けなかった場合（Ｓ１１：ＮＯ）、ユーザコンピュータ２は、本発明の本筋とは異なる他の処理を行い（Ｓ１２）、Ｓ１２へ進んだ場合のそれ以降の処理については説明を省略する。【０１０８】
また、同意ボタン２６ｂの選択を受け付けた場合（Ｓ１１：ＹＥＳ）、ユーザコンピュータ２は、利用規約に同意した旨を示す返信データを連係サーバ２１へ送信する（Ｓ１３）。返信データを受信した連携サーバ２１は、Ｓ８の段階で送信された作成指示データに含まれる記事ＩＤに応じたコンテンツデータを要求する要求データ（記事ＩＤを指定した要求データ）を、作成指示データに含まれるコンテンツサーバ１１へのアクセス先データに基づいて送信することで、コンテンツサーバ１１へ記事ＩＤに応じたコンテンツの要求を行う（Ｓ１４）。コンテンツサーバ１１は、連携サーバ２１からコンテンツの要求データを受信すると、要求データで指定される記事ＩＤに応じたコンテンツに係るデータ（たとえば、図３に示すコンテンツページ画面６へのトラックバックするためのトラックバックＵＲＬ、コンテンツ付随データ等を含む第１コンテンツデータ１７ａ）をハードディスク装置１１ｇから読み出して、読み出したコンテンツデータ等を連携サーバ２１へ送信する（Ｓ１５）。【０１０９】
コンテンツ付随データを含むコンテンツデータ等を受信した連携サーバ２１は、コンテンツデータの転載処理をスクリプト言語で記述したスクリプト記述データを作成し（Ｓ１６）、そのスクリプト記述データを含んだ全体的な連携処理を記述したＸＭＬ形式の転載記述データを作成する（Ｓ１７）。そして、連携サーバ２１は、受信したコンテンツデータ（コンテンツ付随データを含む）、その転載記述データ及びトラックバックＵＲＬを、Ｓ１４の段階に応じた記事ＩＤに対応付けて収集コンテンツデータベース２５（図６参照）に格納する（Ｓ１８）。【０１１０】
それから、連携サーバ２１は、収集コンテンツデータベース２５に格納したコンテンツデータ及び転載記述データ等に対応付けられた記事ＩＤを各種データ（ユーザコンピュータ２のアドレスデータ等）と共に、Ｓ８の段階で取得したブログサーバ３１に係るブログサイトＩＤに紐付けられたブログサーバアドレスをリンクデータベース２８から参照して、作成指示の際にユーザに指定されたＡ社のブログサービスに応じたブログサーバ３１（ブログサイトＩＤで識別されるブログサーバに相当）へ送信する（Ｓ１９）。記事ＩＤ等を受信したブログサーバ３１は、ユーザ確認ページデータ３４ａをサイトページデータベース３４から読み出し、ユーザコンピュータ２のアドレスデータを参照して、ユーザ確認ページデータ３４ａをユーザコンピュータ２へ送信する（Ｓ２０）。【０１１１】
ユーザ確認ページデータ３４ａを受信したユーザコンピュータ２は、図８（ａ）に示すユーザ確認ページ画面３７をブラウザ上に表示する（Ｓ２１）。そして、ユーザコンピュータ２は、ユーザ確認ページ画面３７のＩＤ入力欄３７ａ及びパスワード入力欄３７ｂに所定の内容が入力された状態で、ログインボタン３７ｃの選択を受け付けたか否かを判断する（Ｓ２２）。ログインボタン３７ｃの選択を受け付けなかった場合（Ｓ２２：ＮＯ）、ユーザコンピュータ２は、本発明の本筋とは異なる他の処理を行い（Ｓ２３）、Ｓ２３へ進んだ場合のそれ以降の処理については説明を省略する。【０１１２】
また、ログインボタン３７ｃの選択を受け付けた場合（Ｓ２２：ＹＥＳ）、ユーザコンピュータ２は、ＩＤ入力欄３７ａに入力されたユーザＩＤ及びパスワード入力欄３７ｂに入力されたパスワードをブログサーバ３１へ送信する（Ｓ２４）。ユーザＩＤ及びパスワードを受信したブログサーバ３１は、図１０に示すユーザデータベース３５を参照して、ユーザＩＤとパスワードが一致するか否かを判断する（Ｓ２５）。ユーザＩＤとパスワードが一致しない場合（Ｓ２５：ＮＯ  ユーザＩＤがユーザデータベース３５に含まれない場合等も含む）、ブログサーバ３１は、本発明の本筋とは異なる他の処理を行い（Ｓ２６）、Ｓ２６へ進んだ場合のそれ以降の処理については説明を省略する。【０１１３】
一方、ユーザＩＤとパスワードが一致した場合（Ｓ２５：ＹＥＳ）、ブログサーバ３１は、そのユーザＩＤを、そのユーザＩＤに対応付けられているユーザブログＵＲＬと共に、連携サーバ２１へ送信する（Ｓ２７）。連携サーバ３１は、ブログサーバ３１からユーザＩＤ等を受信すると、Ｓ１９の段階で送信した記事ＩＤに対応付けられたコンテンツ付随データ及び転載記述データに係る所要のデータ（コンテンツアドレスに相当するコンテンツデータのＵＲＬ、コンテンツ付随データのＵＲＬ、転載記述データのＵＲＬ、記事概要データ、小さいサイズの画像データ、著作権情報等）を、図５（ｂ）に示す連携サーバ２１の管理ページ画面２７へのトラックバックＵＲＬ及び図３に示すコンテンツページ画面６へのトラックバックＵＲＬ（コンテンツページのリンクデータ）と共にブログサーバ３１へ送信する（Ｓ２８）。各種データを受信したブログサーバ３１は、図９の編集ページ画面３９のコンテンツアドレス欄３９ｃに、コンテンツデータ（ニュース画像コンテンツデータ及びニュース記事コンテンツデータ）のＵＲＬ（コンテンツデータのＵＲＬは、図６の収集コンテンツデータベース２５における記憶場所を示すコンテンツアドレスに相当）を埋め込むと共に、コンテンツ欄３９ｄにコンテンツ付随データの一部（記事概要データＫ１、小さいサイズの画像データＧ１、ニュースタイトル）を自動的に埋め込んだ状態の編集ページデータ３４ｃを生成し、その編集ページデータ３４ｃをユーザコンピュータ２へ送信する（Ｓ２９）。【０１１４】
コンテンツデータのＵＲＬ等が埋め込まれた編集ページデータ３４ｃを受信したユーザコンピュータ２は、図９に示すように、ブラウザ上に編集ページ画面３９を表示する（Ｓ３０）。なお、ユーザコンピュータ２は、ＯＳプログラムＰ１（図１１参照）で設定されている日時を編集ページ画面３９の日時欄３９ｂに自動的に埋め込んだ状態で編集ページ画面３９を表示する。【０１１５】
それから、ユーザコンピュータ２は、ユーザの操作入力により、タイトル入力欄３９ａにタイトル（作成中のブログページのタイトル。本実施形態では「自然の猛威を思い知った。」）を受け付けると共に、コメント欄３９ｅにユーザのコメント（ユーザにより作成されるブログページの記事。本実施形態では「今日は、東北出張だった。・・・」）を受け付ける（Ｓ３１）。そして、ユーザコンピュータ２は、ユーザの選択操作により、編集ページ画面３９の保存ボタン３９ｆの選択を受け付けたか否かを判断し（Ｓ３２）、保存ボタン３９ｆの選択を受け付けない場合（Ｓ３２：ＮＯ）、本発明の本筋とは異なる他の処理を行い（Ｓ３３）、Ｓ３３へ進んだ場合のそれ以降の処理については説明を省略する。【０１１６】
また、保存ボタン３９ｆの選択を受け付けると（Ｓ３２：ＹＥＳ）、ブログページが作成されたことになり、ユーザコンピュータ２は、編集ページ画面３９のタイトル入力欄３９ａ及びコメント欄３９ｅでユーザの操作入力により受け付けたデータと、日時欄３９ｂ及びコンテンツアドレス欄３９ｃ等で自動的に埋め込まれたデータ（コンテンツアドレスのデータ等）を、ブログサーバ３１へ送信する（Ｓ３４）。ブログサーバ３１は、ユーザコンピュータ２から受信したデータを、Ｓ２４の段階でユーザコンピュータ２から送信されたユーザＩＤに応じたブログデータベースのユーザブログフォルダ（たとえば、第１ユーザブログフォルダ３６ａ）に日時単位で、作成されたブログページに係るデータとして格納する（Ｓ３５）。この後、ブログサーバ３１は、今回格納したユーザブログフォルダに応じたユーザブログＵＲＬ（作成されたブログページのページアドレスに相当）を、格納したタイトルと共にトラックバックとして、収集コンテンツデータベース２５において今回の処理対象となった記事ＩＤに対応付けられた図３のコンテンツページ画面６へのトラックバックＵＲＬ（コンテンツに係るウェブサイトのサイトアドレス）及び図５（ｂ）の管理ページ画面２７へのトラックバックＵＲＬに基づき、コンテンツサーバ１１及び連携サーバ２１へそれぞれ送信する（Ｓ３６）。【０１１７】
トラックバックを受信したコンテンツサーバ１１は、図３に示すように、コンテンツページ画面６の下方のトラックバック欄８に、受信したトラックバックに係る内容（ユーザブログＵＲＬにリンクし、ブログページのタイトルに相当する「自然の猛威を思い知った。」と云う文言等を選択可能に配置した内容）を追加することになる。また、トラックバックを受信した連携サーバ２１も同様に、図５（ｂ）に示す管理ページ画面２７に、受信したトラックバックに係る内容（ユーザブログＵＲＬにリンクしたタイトル）を選択可能に追加することになる。このように、コンテンツサーバ１１に加えて、連携サーバ２１にもトラックバックを送信することで、連携サーバ２１による連携処理を経て作成されたブログページへ、連携サーバ２１の管理ページ画面２７から容易にアクセスできると共に、連携処理により作成されたブログを管理ページ画面２７で管理できるようになる。【０１１８】
なお、上述した図１２〜１５のフローチャートによるブログ作成方法では、ユーザコンピュータ２のユーザが、Ａ社のブログサーバ３１を利用する場合で説明したが、他のユーザコンピュータ３、４等のユーザが、Ｂ社又はＣ社のブログサーバ４１、５１を利用してブログを作成する場合でも同様な処理になり、たとえば、Ｂ社のブログサーバ４１の利用を希望するユーザは、図３でＢ社のブログボタン７ｂを選択することになる。よって、本発明を用いることで、コンテンツを紹介するウェブサイトと、複数のブログ作成サイトとが提携してコンテンツを転載可能なブログの作成サービスをユーザに提供する場合、連携サーバ２１の連携処理により、各ブログ作成サイトのブログサーバへスムーズに処理を渡すことができ、一元的な連携処理を経て、各企業が提供するサービスの連携を適切に処理することができる。【０１１９】
次に、作成されたウェブページを、閲覧要求に応じて閲覧要求元（ユーザコンピュータ）で表示させる場合の処理手順（ウェブページ作成方法の処理の一部）を説明する。この説明は、上述した図１２〜１５のフローチャートによるブログ作成方法で作成された第１ユーザ（ユーザコンピュータ２のユーザ）のブログページを、ユーザコンピュータ４（閲覧端末装置に相当）のユーザが閲覧を希望した場合に従って、図１６のフローチャートに基づき行う。【０１２０】
図１６のフローチャートに示すように、まず、ユーザコンピュータ４のユーザは、ブラウザプログラムを起動させて、ユーザブログＵＲＬの直接入力、検索サイトでの検索結果からの選択、ブックマークの選択、トラックバックが配置されたウェブサイトでのトラックバックに係るタイトル選択等の操作を行うことで、ユーザコンピュータ４は、所定のブログページ（たとえば、第１ユーザのブログページ）を閲覧すると云う閲覧要求をブログサーバ３１へ送信して、ブログサーバ３１へのアクセスを行う（Ｓ４０）。ブログサーバ３１は、閲覧要求を受信すると、その閲覧要求に係るユーザブログＵＲＬを参照して、ブログデータベース３６の第１ユーザブログフォルダ３６ａから、該当するブログページデータ（コメント、コンテンツアドレス等を含む）を読み出してユーザコンピュータ４へ送信する（Ｓ４１）。【０１２１】
ブログページデータを受信したユーザコンピュータ４は、そのブログページデータに含まれるコンテンツアドレス（ニュース画像コンテンツデータ及びニュース記事コンテンツデータのＵＲＬ）を参照して、ブログページに係るコンテンツデータの取得要求を連携サーバ２１へ送信する（Ｓ４２）。取得要求を受信した連携サーバ２１は、取得要求に係るコンテンツデータのＵＲＬに応じたニュース画像コンテンツデータ及びニュース記事コンテンツデータと、コンテンツ付随データ等を収集コンテンツデータベース２５から読み出してユーザコンピュータ４へ送信する（Ｓ４３）。【０１２２】
連携サーバ２１から各コンテンツデータ等を受信すると共に、ブログサーバ３１からブログページデータを受信したユーザコンピュータ４は、受信した各データをブラウザ上で一緒に表示することにより、閲覧要求に係るブログページを表示する（Ｓ４４）。【０１２３】
図１７は、上述した図１６のフローチャートの処理を経てユーザコンピュータ４で作動しているブラウザ上に表示されたブログページのブログページ画面６０を示している。このブログページ画面６０は、上方の位置にブログ記事のタイトル６０ａ（「自然の猛威を思い知った。」）及びブログページの作成日（2008.3.3）を配置し、中程の位置には、ニュースタイトル６ｄ、ニュース画像６ｂ（ニュース画像コンテンツデータに応じたコンテンツ画像）、著作権情報６ｃ、及びニュース記事６ｅ（ニュース記事コンテンツデータに応じたコンテンツ記事）を配置したものになっている。さらに、ブログページ画面６０は、下方の位置に、編集ページ画面３９のコメント欄３９ｅにユーザが入力したコメント６０ｃを配置し、ユーザ独自のブログ内容になっている。よって、ユーザコンピュータ４のユーザは、表示されたブログページ画面６０を閲覧して楽しむことができる。【０１２４】
なお、上述した説明では、ユーザコンピュータ４でブログサーバ３１に蓄えられたブログページデータに応じたブログページの表示を行う場合で説明したが、他のユーザコンピュータ２、３等で、ブログサーバ３１に蓄えられたブログページデータに応じたブログページを表示する場合も同等の内容になる。さらに、別のブログサーバ４１、５１に蓄えられたブログページデータに応じたブログページを、ユーザコンピュータ２、３、４等で表示する場合も、上述した処理内容と同等になる。また、上述したブログページ画面６０と同等な画面は、図９の編集ページ画面３９に配置された確認ボタン３９ｅの選択を受け付けた場合にも、図１６のフローチャートのＳ４２段階以降と同等な処理を経て表示されることになり、それにより、編集ページ画面３９で編集中の内容が、実際のブログページ画面では、どのようになるかをユーザは確認できる。【０１２５】
上述した本発明の第１実施形態は、このような内容に限定されるものではなく、種々の変形例が考えられる。たとえば、コンテンツサイトシステム１０のコンテンツサーバ１１が配信するウェブサイトが、ブログに利用可能なコンテンツとして画像（静止画又は動画）だけに限定しているもの、又は記事（文字）だけに限定しているものにも、第１実施形態の内容は適用可能である。また、ブログ作成について、コンテンツサイトシステム１０の企業と提携しているブログ作成サービスを提供する企業の数は、図１に示すように３社に限られるものではなく、提携する企業の数に特段限定はない。さらに、上述した実施形態では、図１に示す各システム１０〜５０に係る処理を、システム内の各サーバ１１、２１、４１、５１で行うようにしたが、各システムに複数のサーバを設けて適宜、分散処理を行わせることも可能である。さらにまた、処理を簡潔にする場合は、コンテンツ付随データとして扱う各種データ（著作権情報等）に関する処理を省略してもよい。【０１２６】
また、ブログに利用可能なコンテンツのコンテンツデータをコンテンツサーバ１１内に留めておき、作成されたブログページを表示する際、表示先のユーザコンピュータへコンテンツサーバ１１が配信するようにして、コンテンツデータの管理を高めるようにすることも可能である。この場合、コンテンツサーバ１１だけが、コンテンツデータ及びコンテンツ付随データ等を蓄えるコンテンツデータベース１７を有し、連携サーバ２１の収集コンテンツデータベース２５は、図６に示す中身と異なり、記事ＩＤごとに転載記述データのみが格納されたものになる。また、コンテンツサーバ１１から連携サーバ２１へは、コンテンツデータ（画像データ、ニュース記事データ）を送信する替わりに、図１３のフローチャートのＳ１５の段階で、コンテンツデータベース１７内のコンテンツデータ（ブログに転載されるコンテンツに応じたデータ）の記憶場所を表すＵＲＬ（コンテンツアドレス）及びコンテンツ付随データの記憶場所を表すＵＲＬ等が記事ＩＤ（コンテンツ識別データ）と共に送信されることになる（但し、コンテンツ付随データ、小さいサイズの画像データ等はコンテンツサーバ１１から連携サーバ２１へ送信される）。さらに、図９の編集ページ画面３９のコンテンツアドレス欄３９ｃには、コンテンツサーバ１１が有するコンテンツデータベース１７内における各コンテンツデータの記憶場所を表すＵＲＬ（たとえばhttp://contents_server.jp/gazou/gazou_1、http://
contents_serverb.jp/kiji/kiji_1）が自動で埋め込まれることになる。【０１２７】
したがって、上述した変形例の場合、作成されたウェブページのデータに含まれるコンテンツデータの記憶場所を表すＵＲＬも、当然、コンテンツサーバ１１のコンテンツデータベース１７内の記憶場所を示すことになる。それに伴い、この変形例の場合でのユーザコンピュータのブログ閲覧は、図１６に示すフローチャートにおいて、連携サーバ２１が、コンテンツサーバ１１に置き換わったものとなり、Ｓ４２の段階で、ユーザコンピュータ２は、コンテンツサーバ１１へコンテンツの取得要求を送信し、Ｓ４３の段階でコンテンツサーバ１１がユーザコンピュータ２へコンテンツデータ等を送信することになる。【０１２８】
また、上述した説明では、図３に示すコンテンツページ画面６に配置される各ブログボタン７ａ〜７ｃを、連携サーバ２１から送信される転載ボタンデータ２６に基づいて表示するようにしているが、コンテンツページ画面６に応じたコンテンツページデータに予め、各ブログボタン７ａ〜７ｃを配置するようなスクリプト系の言語による記述を含ませておくことも可能である（ただし、この場合も、各ブログボタン７ａ〜７ｃが選択されたときの機能は、上記と同様に記述しておく必要がある）。この場合は、連携サーバ２１は、転載ボタンデータ２６の送信処理等を省略できるので、連携サーバ２１の処理負担を軽減できる。一方、連携サーバ２１が転載ボタンデータ２６をユーザコンピュータへ送信して、コンテンツページ画面６に配置されるように各ブログボタン７ａ〜７ｃを表示する場合は、コンテンツページ画面６に応じたコンテンツページデータは、各ブログボタン７ａ〜７ｃに関する記述をほとんど含まなくてもよいため、コンテンツサーバ１１側の負担を抑えて、本発明を実現できるメリットがある。【０１２９】
また、ブックマークレットを利用することで、コンテンツページ画面６から各ブログボタン７ａ〜７ｃの表示を省略する変形例も考えられる。この変形例の場合、図１２〜図１５に示すフローチャートの処理を行う前に、ユーザの利用するブログ作成サービスのブックマークレットの登録をユーザコンピュータで行っておく必要がある。【０１３０】
図１８（ａ）は、ユーザコンピュータの表示部に表示されたブックマークレット登録画面６５を示している。このブックマークレット登録画面６５に応じた登録画面データは、連携サーバ２１が、ハードディスク装置２１ｇのページデータベース２４に保存しているものであり、図１８（ｂ）に示すブログアイコンボタンＢａ（指示受付部に相当）をブラウザ画面に組み込んで表示させる旨を規定した記述（表示規定データに相当）を含んでいる。なお、ブックマークレット登録画面６５は、連携サーバ２１のトップページ画面又は図５（ｂ）の管理ページ画面２７等に、ブックマークレット登録画面６５へのリンクボタン等を設けることで、連携サーバ２１にアクセスしたユーザコンピュータで表示されるようになっている。また、図１８（ａ）のブックマークレット登録画面６５に続いて、ブックマークレットの利用規約画面も適宜表示させることも勿論可能である。【０１３１】
ブックマークレット登録画面６５は、その登録画面データがユーザコンピュータで受信されると、ユーザコンピュータで起動しているブラウザプログラムを通じて表示されるものであり、登録対象となる各社のブログ作成サービスを選択するためのチェックボックス欄６５ａ〜６５ｃ、ＯＫボタン６５ｄ、及び戻るボタン６５ｅを有する内容になっている。ユーザの操作により、各チェックボックス欄６５ａ〜６５ｃのいずれか一つにチェックが入れられた状態で、ＯＫボタン６５ｄの選択が行われると、ブックマークレット登録画面６５の登録画面データに含まれる記述（表示規定データに相当する記述内容）に従って、ブラウザ画面の上部に並ぶアイコン欄に、チェックが入れられたブログ作成サービスに対応するブログボタンが追加されるようになる。なお、戻るボタン６５ｅの選択が行われた場合は、連携サーバ２１のトップページ画面又は管理ページ画面２７等に表示内容が切り替わるようになっている。このようなチェックボックス欄６５ａ〜６５ｃ及び各ボタン６５ｄ、６５ｅ等の機能は、ブックマークレット登録画面６５に応じた登録画面データの記述内容により実現されている。【０１３２】
図１８（ｂ）は、図１８（ａ）のブックマークレット登録画面６５におけるブックマークレットの登録操作を経て、登録されたブログアイコンボタンＢａ（指示受付部に相当）が組み込まれたブラウザ画面Ｂを介して表示されたコンテンツページ画面６′を示す。図１８（ｂ）のブラウザ画面Ｂは、図３に示すブラウザ画面Ｂに比べて、各種アイコンボタンを複数配置したアイコン欄ＢｉにＡ社のブログアイコンボタンＢａを配置していることが特徴になっている。このブログアイコンボタンＢａは、図１８（ａ）のブックマークレット登録画面６５において、Ａ社ブログサービスに対応したチェックボックス欄６５ａにチェックが入れられた状態でＯＫボタン６５ｄが選択されることにより、ユーザコンピュータのブラウザプログラムの機能に連動してアイコン欄Ｂｉに表示されたものとなっている。【０１３３】
Ａ社のブログアイコンボタンＢａは、図３のコンテンツページ画面６に配置されたＡ社のブログボタン７ａと同等の機能を有している。具体的には、ユーザによるブログアイコンボタンＢａの選択操作が行われることで、Ａ社のブログサーバ３１に係るブログサイトＩＤ、及び記事ＩＤ等を伴った作成指示データを、リンク先の連携サーバ２１へ送信するようになっており、このような処理は、ブログアイコンボタンＢａに応じたデータの中身が、スクリプト系の言語により記述されることで実現されている。なお、図１８（ｂ）では、Ａ社のブログアイコンボタンＢａが配置された場合を示しているが、図１８（ａ）のブックマークレット登録画面６５で、別のチェックボックス欄６５ｂ、６５ｃが選択された時は、図１８（ｂ）のブラウザ画面Ｂのアイコン欄Ｂｉに、Ｂ社又はＣ社のブログアイコンボタンが表示されるようになる。【０１３４】
また、この変形例におけるコンテンツページ画面６′は、図３のコンテンツページ画面６から各社のブログボタン７ａ〜７ｃが省略されたものになっている。また、このようなブックマークレットを適用した変形例における処理の流れは、図１２のフローチャートで示す処理を行う前に、図１８（ａ）のブックマークレット登録画面６５に従って、いずれかの会社のブログアイコンボタンがブラウザ画面Ｂのアイコン欄Ｂｉに登録しておき、図１２のフローチャートにおいては、Ｓ３、Ｓ４の段階が省略されて、Ｓ５の段階で、図１８（ｂ）に示すようなコンテンツページ画面６′がブラウザ画面Ｂ内に表示されることになる。その後は、ユーザの操作により、アイコン欄Ｂｉに配置されたブログアイコンボタンＢａの選択を受け付けるか否かの判断が、図１２のフローチャートのＳ６の段階に相当し、Ｓ６の段階以降は、各フローチャートで示す手順と同様になる。【０１３５】
なお、ブックマークレットに係るブログアイコンボタンＢａを図１８（Ｂ）に示すように、ブラウザ画面Ｂのアイコン欄Ｂｉに組み込ませるには、上記以外にも、一般的なブラウザプログラムが具備する「お気に入り」の機能に従ったユーザ操作により、ブログアイコンボタンＢａに係る表示規定データに基づき行うことも可能である。さらには、ブログアイコンボタンＢａに係る表示規定データに応じたリンクを含む登録画面をユーザコンピュータで表示させて、その登録画面中のリンクをユーザ操作によるドラッグ・アンド・ドロップで、ドロップ先をブラウザ画面Ｂのアイコン欄Ｂｉに指定することにより、ブログアイコンボタンＢａを係るブラウザ画面Ｂのアイコン欄Ｂｉに組み込ませるようにしてもよい。【０１３６】
以上のように、ブックマークレットを利用した変形例では、コンテンツサーバ１１が提供するブログページデータに特別な追加内容が不要になるため、コンテンツを転載したブロク作成を行う各社のブログ作成サービスの導入を一段と容易に行うことができる。すなわち、コンテンツサーバ１１を有するコンテンツサイトシステム１０を運営する企業と、各ブログ作成サービスを提供する企業とが提携を行わなくても、技術的な面ではブロク作成にいたるまでの処理を実行できるので、包括的なブログ作成サービスを容易に構築できるメリットが生じる。また、この変形例では、連携サーバ２１の重要度が増すので、図１８（ａ）のブックマークレット登録画面６５を利用するユーザにより、図５（ｂ）に示す管理ページ画面２７の利用頻度も高まるので、管理ページ画面２７でユーザ向けのコミュニティ欄等を設けることなどにもサービス内容を展開することができる。【０１３７】
また、別の変形例としては、無用なトラックバック（たとえば、スパム的な広告目的などのトラックバック）を、図５（ｂ）の管理ページ画面２７、図３、図１８（ｂ）のコンテンツページ画面６、６′から排除するため、ＵＲＬが一度のみ有効なワンタイムトラックバックＵＲＬを発行することが考えられる。ワンタイムトラックバックＵＲＬとは、トラックバックの送信先となるウェブサイトのＵＲＬ（固定アドレス部分に相当）の末尾に、ランダム的に生成する文字列（可変アドレス部分に相当。たとえば、１８Ｕ９ＬＫ２２・・・等）を付加したものであり、トラックバックの送信先となるウェブサイトに係るサーバ装置で、このようなワンタイムトラックバックＵＲＬを発行し、発行したワンタイムトラックバックＵＲＬでトラックバックがあると、一度のみ、そのトラックバックを受け付けて、再度トラックバックを受け付けないようにする。【０１３８】
このようなワンタイムトラックバックＵＲＬは、上述した処理の中で、通常のトラックバックＵＲＬの替わりに用いられることになる。ワンタイムトラックバックＵＲＬを用いる変形例における具体的な処理を説明すると、先ず、コンテンツサーバ１１においては、ハードディスク装置１１ｇに記憶されるサイト処理プログラム１３が、コンテンツの取得要求を受信すると、ランダム的な文字列を生成する処理と、生成した文字列をコンテンツページへの通常のトラックバックＵＲＬの末尾に追加してワンタイムトラックバックＵＲＬ（サイトアドレスに相当）を生成する処理を規定することになる。さらに、サイト処理プログラム１３は、生成したワンタイムトラックバックＵＲＬをコンテンツに係るデータに含ませて、コンテンツの取得要求元へ送信する処理を規定すると共に、生成したワンタイムトラックバックＵＲＬを、ＲＡＭ１１ｃ又はハードディスク装置１１ｇに一時的に記憶させる処理も規定する。【０１３９】
さらにまた、サイト処理プログラム１３は、ワンタイムトラックバックＵＲＬに基づくブログサーバ（例えば、ブログサーバ３１）からのアクセスにより、トラックバックとしてブログページのページアドレスにリンクしたタイトル等を受信すると、アクセスに用いられたトラックバックに係るＵＲＬ（トラックバックの送信先となるサイトアドレスに相当）と、同じＵＲＬが一時的に記憶されているかを比較検索し、比較検索の対象となる両方のＵＲＬが一致すれば、そのトラックバックに係るタイトル等を、ランダム的な文字列の前の部分のＵＲＬに応じたコンテンツページのトラックバックとして受け入れてウェブページ画面に追加すると共に、一時的に記憶していたワンタイムトラックバックＵＲＬを消去することを規定する。また、上記の比較により、比較対象の両者が一致しなければ、そのトラックバックを受け入れない旨を、サイト処理プログラム１３は規定している。【０１４０】
このようなサイト処理プログラム１３の規定により、ワンタイムトラックバックＵＲＬを用いた変形例におけるコンテンツサーバ１１は、図１３に示すフローチャートのＳ１５の段階で、ワンタイムトラックバックＵＲＬの生成、送信及び一時的な記憶を行うことになる。また、コンテンツサーバ１１は、図１５に示すフローチャートのＳ３６の段階に応じて、ブログサーバ３１からトラックバックを受けると、そのトラックバックに係るワンタイムトラックバックＵＲＬと、一時的に記憶しているワンタイムトラックバックＵＲＬとの比較検索処理、両者が一致した場合のトラックバックの受け付け、両者が一致しない場合のトラックバックの受け付け拒否、一致した場合での一時的に記憶していたワンタイムトラックバックＵＲＬの消去等を行うことになる。【０１４１】
一方、ワンタイムトラックバックＵＲＬを用いた変形例では、連携サーバ２１が記憶する連携処理プログラム２３も、ワンタイムトラックバックＵＲＬの生成、一時的な記憶、及び比較検索等に関する処理を規定することになる。すなわち、変形例の連携処理プログラム２３は、ユーザＩＤを受信すると、上述したサイト処理プログラム１３と同様に、ランダム的な文字列を生成する処理、生成した文字列（可変アドレス部分に相当）を管理ページ画面２７の通常のトラックバックＵＲＬ（固定アドレス部分に相当）の末尾へ追加してワンタイムトラックバックＵＲＬを生成する処理、生成したワンタイムトラックバックＵＲＬを一時的に記憶する処理等を規定することになる。さらに、変形例の連携処理プログラム２３は、トラックバックを受けると、この場合も上述したサイト処理プログラム１３と同様に、トラックバックに係るＵＲＬと、記憶するワンタイムトラックバックＵＲＬとの比較処理等を規定することになる。【０１４２】
このような変形例に係る連携処理プログラム２３の規定により、ワンタイムトラックバックＵＲＬを用いた変形例では、図１４に示すフローチャートのＳ２８の段階で、連携サーバ２１が、ワンタイムトラックバックＵＲＬの生成、送信及び一時的な記憶を行うことになる。また、連携サーバ２１は、図１５に示すフローチャートのＳ３６の段階で、ブログサーバ３１からトラックバックを受けると、コンテンツサーバ１１と同様に、比較処理、比較により一致した場合のトラックバックの受け付け、一致しない場合のトラックバックの受け付け拒否等を行うことになる。以上のような処理を行うことで、コンテンツを転載したブロクページの作成に連動してトラックバックを送るようにしても、図３等に示すコンテンツページ画面６、図５（ｂ）に示す管理ページ画面２７に、無関係なトラックバックが載ることを防止でき、各ページ画面の品質維持に貢献できる。【０１４３】
なお、ワンタイムトラックバックＵＲＬは、上述したように、発行したワンタイムトラックバックＵＲＬを一時的に記憶する以外に、ワンタイムトラックバックＵＲＬの可変アドレス部分を一定の計算式（たとえば、一定の文字列を所定の条件に基づき変換して符号化する内容の計算式）の計算結果に基づいて生成すると共に、トラックバックがあれば、そのトラックバックに係るＵＲＬに含まれる可変アドレス部分を復号して、前記一定の計算式により生成されたか否かを判断するようにしてもよい。この場合、トラックバックに係るＵＲＬの可変アドレス部分が前記一定の計算式により生成されたものと判断されれば、そのトラックバックを受け入れる一方、可変アドレス部分が前記一定の計算式により生成されたものでないと判断されれば、そのトラックバックの受け入れを拒否することになる。【０１４４】
また、図１３に示すフローチャートにおけるＳ１４の段階で、連携サーバ２１が図６の収集コンテンツデータベース２５を利用することで、コンテンツサーバ１１へのコンテンツの要求を毎回行うことを省略可能にする処理手順を採用してもよい。【０１４５】
図１９（ａ）に示すフローチャートは、図６の収集コンテンツデータベース２５を利用できるようにした処理手順を示すものであり、図１３のフローチャートのＳ１４の段階と置き換わるものである。図１９（ａ）のフローチャートを用いた場合の処理内容を説明すると、まず、連携サーバ２１は、ユーザコンピュータから（たとえば、ユーザコンピュータ２から）返信データを受信すると、連携サーバ２１は、Ｓ８の段階で送信された作成指示データに含まれる記事ＩＤに応じたコンテンツデータ（及びコンテンツ付随データ等）を、図６の収集コンテンツデータベース２５から検索する（Ｓ１４０）。【０１４６】
検索の結果、該当するコンテンツデータが無かった場合（Ｓ１４０：該当無し）、図１３のフローチャートのＳ１４の段階と同様に、上記の記事ＩＤに応じたコンテンツデータを要求する要求データをコンテンツサーバ１１へ送信して、コンテンツ要求を行う（Ｓ１５０）。なお、この場合、以降の処理は図１３のフローチャートのＳ１５以降と同等の流れになり、コンテンツサーバ１１が、要求に係るコンテンツデータ等を連携サーバ２１へ送信して、順次以降の処理を行う。【０１４７】
一方、検索の結果、該当するコンテンツデータが有った場合（Ｓ１４０：該当有り）、連携サーバ２１は、コンテンツサーバ１１へコンテンツの要求データを送信することなく、該当したコンテンツデータ（及びコンテンツ付随データ等）を収集コンテンツデータベース２５から読み出す。そして、連携サーバ２１は、その読み出したコンテンツデータ等を用いて図１３のフローチャートに示すＳ１６及びＳ１７の段階に応じた処理を行うことになり、Ｓ１８の段階に応じた処理は、既に同等のコンテンツデータを収集コンテンツデータベース２５に格納しているので省略し、以降は、図１４及び図１５等に示すフローチャートの処理を行って、Ｓ２８の段階で、少なくともコンテンツデータのＵＲＬをブログサーバ３１へ送信することになる。このように、図１９（ａ）のフローチャートに示す処理を導入することで、連携サーバ２１の収集コンテンツデータベース２５を有効に利用することができ、コンテンツサーバ１１へのコンテンツ要求を最小限に抑えられる。【０１４８】
また、対象となるコンテンツが、新鮮度の要求されるもの又は更新頻度が高く時間の経過と共に内容が変わるもの等である場合（ニュースコンテンツなどの場合）は、収集コンテンツデータベース２５に格納されてからの期間も考慮して、コンテンツサーバ１１へコンテンツ要求を行うか否かを判断するようにしてもよい。【０１４９】
図１９（ｂ）に示すフローチャートは、収集コンテンツデータベース２５への格納期間も考慮した場合の処理手順を示すものであり、この処理手順を適用する場合は、連携サーバ２１のＲＡＭ２１ｃ、ＲＯＭ２１ｄ又はハードディスク装置２１ｇのいずれかに予め比較基準となる基本時間（たとえば、１０日間に応じた２４０時間）を記憶しておくことになる。図１９（ｂ）のフローチャートは、図１９（ａ）のフローチャートをベースにしたものであり、図１９（ｂ）のＳ１４１の段階からＳ１５１の段階へと至る処理の流れは、図１９（ａ）のＳ１４０の段階からＳ１５０の段階へと至る処理の流れと同等である。【０１５０】
また、対象となる記事ＩＤに応じたコンテンツデータを収集コンテンツデータベース２５で検索した結果、該当するコンテンツデータが有った場合（Ｓ１４１：該当有り）、連携サーバ２１は、その該当したコンテンツデータが、収集コンテンツデータベース２５に格納されてから今回の検索時に至るまでの時間を、収集コンテンツデータベース２５の格納時の記憶日時と、連携サーバ２１のＣＰＵ２１ａ等が有するクロック・カレンダー機能による現在日時との差から算出する（Ｓ１４２）。そして、連携サーバ２１は、算出した時間と基本時間とを比較して、算出した時間が基本時間以上であるか否かを判断する（Ｓ１４３）。【０１５１】
算出した時間が基本時間以上である場合（Ｓ１４３：ＹＥＳ）、該当したコンテンツデータは古いものと判定され、更新等されているおそれがあるので、連携サーバ２１はコンテンツサーバ１１へコンテンツ要求を行う（Ｓ１５１）。一方、算出した時間が基本時間以上で無い場合（Ｓ１４３：ＮＯ）、該当したコンテンツデータは新鮮度を維持していると考えられるので、以降の処理は、図１９（ａ）のＳ１４０で該当有りの場合と同等になる。以上のように、基本時間との比較もさらに行えば、収集コンテンツデータベース２５における格納時間までも考慮にいれて、収集コンテンツデータベース２５を利用できる。【０１５２】
また、図１４、図１５等に示すフローチャートにおける各段階の処理は、適用されるシステム及びサービスに対する考え方に合わせて適宜順番を前後することも可能である。たとえば、アクセスしてきたユーザが、意味もなく図３のブログボタン７ａ〜７ｃ又は図１８（ｂ）のブログアイコンボタンＢａ等を選択する操作を行っても、連携サーバ２１等が出来るだけ無用な処理を行わないようにするためには、図１３におけるＳ１４の段階からＳ１８までの段階の処理を、図１４におけるＳ２７の段階が終わった後に挿入するようにしてもよい。【０１５３】
この場合、連携サーバ２１は、ユーザコンピュータからＳ１３の段階で送信された返信データを受信すると、Ｓ１９の段階へ移行して、記事ＩＤ等をブログサーバ３１へ送信することになる。また、Ｓ２７の段階でブログサーバ３１から送信されたユーザＩＤ等を連携サーバ２１が受信すると、ブログ作成システム１としては、図１３に示すＳ１４の段階からＳ１８の段階の処理を行うことになり、その後、連携サーバ２１が図１４のＳ２８の段階における処理（各種データの送信）を行うことになる。このような処理手順にすると、連携サーバ２１の主要な処理（Ｓ１４の段階からの処理）が、図１４のＳ２５の段階におけるユーザ認証の済んだ後（ユーザＩＤとパスワードが一致した後）に行われることになり、ユーザの無意味な操作に追従して、連携サーバ２１が無用な処理を行うと云う事態を回避することができる。【０１５４】
さらに、別の変形例としては、図１４に示すフローチャートにおけるＳ１９の段階で、連携サーバ２１が記事ＩＤをブログサーバ３１へ送信する替わりに、ユーザコンピュータのブラウザプログラムのリダイレクト処理により、ユーザコンピュータからブログサーバ３１へ記事ＩＤを送信すると云う処理の流れにすることも可能である。【０１５５】
図２０は、図１４に示すフローチャートのＳ１９の段階からＳ２１の段階までの処理内容の変形例を示し、ユーザコンピュータから記事ＩＤを送信する処理手順を表している。この変形例において、連携サーバ２１は、図１３のフローチャートにおけるＳ１８の段階で、転載記述データ及びトラックバックＵＲＬを収集コンテンツデータベース２５（図６参照）に格納すると、格納した転載記述データ等に対応付けられた記事ＩＤと、リンクデータベース２８から読み出したブログサーバアドレス（図１２のフローチャートにおけるＳ８の段階で取得したブログサーバ３１に係るブログサイトＩＤに紐付けられたブログサーバアドレス）とをユーザコンピュータ２へ送信する（Ｓ１９１）。【０１５６】
ユーザコンピュータ２は、連携サーバ２１から記事ＩＤ及びブログサーバアドレスを受信すると、起動しているブラウザプログラムのリダイレクト処理により、受信したブログサーバアドレスに基づき、連携サーバ２１から送信された記事ＩＤをブログサーバ３１へ送信する（Ｓ１９２）。記事ＩＤを受信したブログサーバ３１は、ユーザ確認ページデータ３４ａをサイトページデータベース３４から読み出し、ユーザコンピュータ２のアドレスデータを参照して、ユーザ確認ページデータ３４ａをユーザコンピュータ２へ送信する（Ｓ２００）。そして、ユーザコンピュータ２は、ユーザ確認ページデータ３４ａを受信すると、そのユーザ確認ページデータに応じたユーザ確認ページ画面３７をブラウザ上に表示する（Ｓ２１０）。Ｓ２１０の段階より後は、図１４のフローチャートのＳ２２の段階以降と同等になる。【０１５７】
さらに、図１４のフローチャートにおけるＳ２７の段階においても、ブログサーバ３１が直接的に連携サーバ２１へユーザＩＤ等を送信する替わりに、一旦ユーザコンピュータを介してから連携サーバ２１へ送信すると云う処理の流れにすることも可能である。なお、上述した多数の様々な変形例は、適宜組み合わせて適用することも勿論可能である。【０１５８】
実施の形態２
図２１は本発明の第２実施形態のブログ作成システムで適用される簡易編集ページ画面７０を示している。本発明の第２実施形態は、基本的に図１に示す構成と同等のシステムで行われるが、図２１の簡易編集ページ画面７０に応じたページ画面データが、連携サーバよりユーザコンピュータへ送信されることが、第１実施形態との主な相違点になっている。以下、第２実施形態の内容について、第１実施形態と異なる点を中心にして説明する。なお、第２実施形態は、基本的な構成が第１実施形態と同等であるため、以下の説明で、第１実施形態と共通するものは、第１実施形態と同じ符号を用いる。【０１５９】
まず、図２１に示す簡易編集ページ画面７０について説明する。この画面に応じたページ画面データは、図４に示す連携サーバ２１のページデータベース２４に格納されて、ブログ作成を行うユーザコンピュータ（たとえば、ユーザコンピュータ２）へ送信されると、ユーザコンピュータで起動しているブラウザ画面内で、図２１に示す形態で表示される。【０１６０】
簡易編集ページ画面７０は、上方の位置に、作成するブログページのタイトルを入力するタイトル入力欄７０ａと、その下方にユーザのコメント（コメント本文）を受け付けるコメント入力欄７０ｂを配置している。また、簡易編集ページ画面７０は、タイトル入力欄７０ａの右方に、ブログページの作成を行うユーザが登録を行っているブログ作成サービス（たとえば、Ａ社のブログ作成サービス）にログインするためのユーザＩＤ入力欄７０ｃ及びパスワード入力欄７０ｄを配置している。さらに、簡易編集ページ画面７０は、パスワード入力欄７０ｄの下方に、転載対象となるコンテンツに係るニュースタイトル６ｄ、小さいサイズのニュース画像Ｇ１及び著作権情報６ｃを配置している。さらにまた、簡易編集ページ画面７０は、確認ボタン７０ｅ及び保存ボタン７０ｆを配置している。なお、簡易編集ページ画面７０は、非表示で転載対象のコンテンツアドレス（ニュース記事のコンテンツアドレス、及びニュース画像のコンテンツアドレス）が埋め込まれており、また、図９に示す第１実施形態の編集ページ画面３９に比べて、機能が簡易化されており、たとえば、コメント入力欄７０ｂでは、単に文字入力を受け付けるだけになっており、図９の編集ページ画面３９のように入力された文字に対する装飾機能等は省略されている。【０１６１】
このような簡易編集ページ画面７０に係る簡易編集ページデータは、前述したように連携サーバ２１のページデータベース２４に記憶されているが、確認ボタン７０ｅ及び保存ボタン７０ｆは、ユーザの登録先のブログ作成サービスと関連したものが要求されるので、各社のブログ作成サービスのサイト用のボタン（確認ボタン７０ｅ、保存ボタン７０ｆ）のデータが連携サーバ２１のハードディスク装置２１ｇに、各社のブログサイトＩＤに対応づけて記憶されている。なお、これらのボタン７０ｅ、７０ｆが選択された場合のリンク先は、連携サーバ２１になっている。また、保存ボタン７０ｆが選択されると、簡易編集ページ画面７０で入力を受け付けたデータ（ユーザのコメント等）及び埋め込まれたデータ（コンテンツアドレス等）が、ブログ作成サービス（ブログサーバ）へのアクセス用のアドレスデータと共に、連携サーバ２１へ送信される旨の記述（スクリプト系の言語による記述）等が、保存ボタン７０ｆに係るボタンデータには含まれている。【０１６２】
さらに、ブログページの作成処理が開始されて、図３のブログボタン７ａ〜７ｃのいずれかで選択を受け付けて、図１２のフローチャートにおけるＳ８の段階で、ユーザコンピュータ２から送信される作成指示データ（選択された会社のブログサーバに係るブログサイトＩＤを含む）に基づいて、連携サーバ２１は、作成指示データに含まれるブログサイトＩＤに応じたブログサーバ用のボタン（たとえば、Ａ社のブログ作成サービスに係るブログサーバ３１用のボタン）を配置した簡易編集ページデータの基本部分を生成することになる。【０１６３】
また、連携サーバ２１は、図１３のフローチャートにおけるＳ１５の段階を経て、コンテンツデータ及びコンテンツ付随データ等を受信すると、Ｓ１６〜Ｓ１８の段階の処理を行ってから、上述した図２０に示す簡易編集ページ画面７０に応じた簡易編集ページデータを、ブログページの作成（編集）を行うユーザコンピュータ（例えばユーザコンピュータ２）へ送信することになる。なお、連携サーバ２１は、送信対象の簡易編集ページデータに、転載対象のコンテンツデータの記憶場所に係るＵＲＬ（コンテンツアドレス）を非表示で埋め込むと共に、コンテンツデータの一部（画像データ）に相当する小さい寸法のニュース画像、ニュースタイトル及び著作権情報等を表示可能に埋め込んでから、送信処理を行っている。【０１６４】
さらに、連携サーバ２１は、ブロク作成処理を行うユーザコンピュータからブログのコンテンツとなるユーザのコメント等（入力受付内容及び埋め込まれた内容等）を受信すると、受信したコメント及びコンテンツアドレス等のデータをブログサーバ３１が格納できるデータ形式に変換する処理を行ってから、変換したブログ内容に係るデータ（ユーザＩＤ及びパスワード等も含む）を、図１２のＳ８の段階で送信された作成指示データに含まれるブログサイトＩＤに対応するブログサーバ（たとえば、Ａ社のブログサーバ３１）へ送信する処理を行う。なお、このような第２実施形態における連携サーバ２１の特有な各種処理は、連携処理プログラム２３が規定する。【０１６５】
また、第２実施形態のブログサーバ３１の処理は、第１実施形態と比べて簡略化されたものとなり、連携サーバ２１から、ユーザＩＤ及びパスワードを含むブログ内容に係るデータを受信すると、図１４のフローチャートのＳ２５の段階の処理（ユーザＩＤ及びパスワードの一致判断）を行い、一致する場合は、受信したデータ（ブログのコンテンツとなるユーザのコメント等）をユーザＩＤに対応するユーザブログフォルダに格納することになる。【０１６６】
図２２に示すフローチャートは、連携サーバ２１が簡易編集ページデータを送信する段階からの第２実施形態の処理手順（第２実施形態に係るブログ作成システムが行うブログ作成方法の内容）を示している。図２２に示すフローチャートは、第１実施形態の図１３のフローチャートにおけるＳ１８の段階の後に続くものであり、以下、図２２のフローチャートに従って第２実施形態の主要な内容を説明する。なお、第２実施形態においても第１実施形態と同様に、ユーザコンピュータ２のユーザが、Ａ社の提供するブログ作成サービスを利用して、ブログページの作成を行うものとする。【０１６７】
まず、連携サーバ２１は、図１３のフローチャートの処理手順で、Ｓ１８の段階まで進むと、簡易編集ページデータを生成し、その簡易編集ページデータをユーザコンピュータ２へ送信する（Ｓ５０）。簡易編集ページデータを受信したユーザコンピュータ２は、起動しているブラウザ画面内に、受信した簡易編集ページデータに応じた簡易編集ページ画面７０（図２１参照）を表示する（Ｓ５１）。それからユーザコンピュータ２は、ユーザの操作によりブログに係るタイトル及びコメント等の入力を受け付けると共に、ユーザＩＤ及びパスワード等の入力を受け付ける（Ｓ５２）。それから、ユーザコンピュータ２は、簡易編集ページ画面７０の保存ボタン７０ｆの選択を受け付けたか否かを判断する（Ｓ５３）。保存ボタン７０ｆの選択を受け付けなかった場合（Ｓ５３：ＮＯ）、ユーザコンピュータ２は、本発明の本筋とは異なる他の処理を行い（Ｓ５４）、Ｓ５４段階以降の処理の説明は省略する。【０１６８】
また、保存ボタン７０ｆの選択を受け付けた場合（Ｓ５３：ＹＥＳ）、ユーザコンピュータ２は、簡易編集ページ画面７０で入力を受け付けた内容（タイトル、コメント、ユーザＩＤ及びパスワード等）及び埋め込まれたコンテンツデータに係るコンテンツアドレス等を、ブログサーバ３１へのアクセスデータと共に、保存ボタン７０ｆのリンク先の連携サーバ２１へ送信する（Ｓ５５）。連携サーバ２１は、受信したタイトル及びコメント等を、保存形式のデータに変換してから、各種データ（変換したデータ、ユーザＩＤ及びパスワード等）を、図１２のＳ８の段階で送信された作成指示データに含まれるブログサイトＩＤにリンクデータベース２８で紐付けられたブログサーバアドレスを参照してブログサーバ３１へ送信する（Ｓ５６）。各種データ等を受信したブログサーバ３１（外部のサーバ装置に相当）は、受信したデータの中に含まれるユーザＩＤとパスワードが一致するか否かを、図１０に示すユーザデータベース３５を参照して判断する（Ｓ５７）。ユーザＩＤとパスワードが一致しない場合（Ｓ５７：ＮＯ）、ブログサーバ３１は、本発明の本筋とは異なる他の処理を行い（Ｓ５８）、Ｓ５７段階以降の処理の説明は省略する。【０１６９】
一方、ユーザＩＤとパスワードが一致した場合（Ｓ５７：ＹＥＳ）、ブログサーバ３１は、コメント等のデータを、ユーザＩＤに応じたブログデータベースのユーザブログフォルダ（たとえば、第１ユーザブログフォルダ３６ａ）に格納する（Ｓ５９）。この後は、第１実施形態と同様に、ブログサーバ３１は、今回格納したユーザブログフォルダに応じたユーザブログＵＲＬを、格納したタイトルと共にトラックバックとして、コンテンツサーバ１１のブログに転載したニュース記事ページのＵＲＬ及び連携サーバ２１の管理ページのＵＲＬを参照し、コンテンツサーバ１１及び連携サーバ２１へ送信することになる（図１５のフローチャートのＳ３６の段階参照）。【０１７０】
第２実施形態では、以上のように、連携サーバ２１が簡易編集ページデータを送信することで、ブログページの作成に係る全体的な処理量を第１実施形態に比べて低減することができ、より効率的な処理を実現できる。なお、上述した以外についての第２実施形態の内容は、第１実施形態と同等であり、また、第１実施形態で述べた多数の様々な変形例も、第２実施形態で適用可能になっている（第１実施形態の各種変形例を組み合わせて適用することも可能）。特に、ブログに利用可能なコンテンツのコンテンツデータをコンテンツサーバ１１内に留めておき、作成されたブログページを表示する際だけ、表示先のユーザコンピュータに配信する変形例の場合、コンテンツサーバ１１が、コンテンツデータ及びコンテンツ付随データ等を蓄えるコンテンツデータベース１７を有し、連携サーバ２１へ、コンテンツデータベース１７内のコンテンツデータの記憶場所を表すＵＲＬ（コンテンツアドレス）及びコンテンツ付随データの記憶場所を表すＵＲＬ等が送信され、連携サーバ２１は、これらのＵＲＬと一部のコンテンツデータ等を埋め込んだ簡易編集ページ画面のデータをユーザコンピュータへ送信することになる。【０１７１】
さらに、図２１の簡易編集ページ画面７０で入力された内容等を、第１実施形態と同様に装飾することが要求される場合などは、図２２のフローチャートのＳ５７の段階の処理（ユーザＩＤとパスワードの一致判断）を行って、一致した場合、受信した各種データ等を埋め込んだ編集ページデータ３４ｃをユーザコンピュータ２へ送信し、ユーザコンピュータ２は、受信した編集ページデータ３４ｃに応じた編集ページ画面３９を表示して、各種装飾処理を行ってから、ブログサーバ３１へ再送し、ブログサーバ３１は受信したデータをユーザブログフォルダに格納するとよい。このようにすれば、編集ページ画面３９で文字装飾等を行えるので、ブログページの見栄えを第１実施形態と同様にユーザの希望する通りに仕上げることが可能となる。
【産業上の利用可能性】
【０１７２】
本発明は、ユーザコンピュータ、ウェブサーバ、及びブログサーバを連携する処理を行う連携サーバを新たに設けることで、ウェブサーバから配信されるウェブサイトに含まれるコンテンツを転載して、ユーザがブログ（ウェブページ）を作成する際、複数のブログ作成サービスの中からユーザが登録しているブログ作成サービスをスムーズに利用できるようにする用途に好適となる。
【図１】
2009139035.tif 000003
【図２】
2009139035.tif 000004
【図３】
2009139035.tif 000005
【図４】
2009139035.tif 000006
【図５】
2009139035.tif 000007
【図６】
2009139035.tif 000008
【図７】
2009139035.tif 000009
【図８】
2009139035.tif 000010
【図９】
2009139035.tif 000011
【図１０】
2009139035.tif 000012
【図１１】
2009139035.tif 000013
【図１２】
2009139035.tif 000014
【図１３】
2009139035.tif 000015
【図１４】
2009139035.tif 000016
【図１５】
2009139035.tif 000017
【図１６】
2009139035.tif 000018
【図１７】
2009139035.tif 000019
【図１８】
2009139035.tif 000020
【図１９】
2009139035.tif 000021
【図２０】
2009139035.tif 000022
【図２１】
2009139035.tif 000023
【図２２】
2009139035.tif 000024
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、
前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、
前記第２サーバ装置は、前記コンテンツデータを受信した場合、受信した前記コンテンツデータを記憶すると共に、記憶した前記コンテンツデータの記憶場所を示すコンテンツアドレスを前記第３サーバ装置へ送信し、
前記第３サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とするウェブページ作成方法。
【請求項２】
前記第３サーバ装置は、複数であり、
前記通信端末装置は、複数の前記第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、
前記第２サーバ装置は、受信した前記作成指示データに含まれる第３サーバ装置識別情報で識別される第３サーバ装置へ、前記コンテンツアドレスを送信する請求項１に記載のウェブページ作成方法。
【請求項３】
転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、
前記第２サーバ装置は、前記コンテンツデータを受信した場合、受信した前記コンテンツデータを記憶すると共に、記憶した前記コンテンツデータの記憶場所を示すコンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とするウェブページ作成方法。
【請求項４】
複数の第３サーバ装置が、作成されるウェブページに係るデータを記憶できるようにしてあり、
前記通信端末装置は、前記複数の第３サーバ装置のそれぞれに対応して前記作成指示の受け付けが可能にしてあると共に、作成指示を受け付けた場合、前記作成指示に対応した前記第３サーバ装置を識別する第３サーバ装置識別情報を含む作成指示データを第２サーバ装置へ送信し、
前記第２サーバ装置は、受信した前記作成指示データに含まれる第３サーバ装置識別情報で識別される第３サーバ装置へ、前記通信端末装置から送信された前記コメント及び前記コンテンツアドレスを送信する請求項３に記載のウェブページ作成方法。
【請求項５】
前記第３サーバ装置は、送信されてきた前記コメント及び前記コンテンツアドレスをウェブページに係るデータとして記憶し、
前記第３サーバ装置は、前記ウェブページに係る閲覧要求を閲覧端末装置から受信した場合、記憶する前記コメント及び前記コンテンツアドレスを読み出して前記閲覧端末装置へ送信し、
前記閲覧端末装置は、前記コメント及び前記コンテンツアドレスを受信した場合、受信した前記コンテンツアドレスに基づいて、前記第２サーバ装置へコンテンツデータの取得要求を送信し、
前記第２サーバ装置は、前記コンテンツデータの取得要求を受信した場合、取得要求に係るコンテンツデータを読み出して前記閲覧端末装置へ送信し、
前記閲覧端末装置は、前記コンテンツデータを受信した場合、受信した前記コンテンツデータに応じたコンテンツと共に、前記第３サーバ装置から受信したコメントを表示する請求項１、２、４のいずれか１項に記載のウェブページ作成方法。
【請求項６】
前記第１サーバ装置は、コンテンツに付随する付随データをコンテンツ識別情報に対応付けて記憶しており、前記コンテンツ要求データを受信した場合、前記コンテンツデータと共に、前記付随データを前記第２サーバ装置へ送信し、
前記第２サーバ装置は、前記コンテンツデータ及び付随データを受信した場合、前記コンテンツデータと共に前記付随データを記憶し、
前記第２サーバ装置は、前記コンテンツデータの取得要求を受信した場合、取得要求に係るコンテンツデータ及び付随データを読み出して前記閲覧端末装置へ送信する請求項５に記載のウェブページ作成方法。
【請求項７】
前記第２サーバ装置は、管理ウェブサイトをネットワーク上に設けており、前記管理ウェブサイトに係る管理サイトアドレスを前記第３サーバ装置へ送信し、
前記第３サーバ装置は、送信されてきた前記コメント及び前記コンテンツアドレスをウェブページに係るデータとして記憶した場合で、前記第２サーバ装置から送信された前記管理サイトアドレスを受信したとき、前記ウェブページのページアドレスを、前記管理サイトアドレスに基づきトラックバックとして前記第２サーバ装置へ送信する請求項１、２、４、５、６のいずれか１項に記載のウェブページ作成方法。
【請求項８】
前記第２サーバ装置は、
前記管理ウェブサイトに係る管理サイトアドレスとして、固定アドレス部分に可変アドレス部分を付加した管理サイトアドレスを作成し、作成した管理サイトアドレスを記憶し、
トラックバックとしてページアドレスを受信した場合、前記トラックバックの送信先となるサイトアドレスと、記憶する管理サイトアドレスとを比較し、
比較の結果、両方のサイトアドレスが一致する場合、受信したページアドレスを前記管理ウェブサイトに追加する請求項７に記載のウェブページ作成方法。
【請求項９】
前記第１サーバ装置は、前記コンテンツ要求データを受信した場合、前記コンテンツに係るウェブサイトのサイトアドレスを前記第２サーバ装置へ送信し、
前記第２サーバ装置は、前記サイトアドレスを前記第３サーバ装置へ送信し、
前記第３サーバ装置は、送信されてきた前記コメント及び前記コンテンツアドレスをウェブページに係るデータとして記憶した場合で、前記第２サーバ装置から送信された前記サイトアドレスを受信したとき、前記ウェブページのページアドレスを、前記サイトアドレスに基づきトラックバックとして前記第１サーバ装置へ送信する請求項１、２、４、５、６、７、８のいずれか１項に記載のウェブページ作成方法。
【請求項１０】
前記第１サーバ装置は、
前記サイトアドレスとして、固定アドレス部分に可変アドレス部分を付加したサイトアドレスを作成し、作成したサイトアドレスを記憶し、
トラックバックとしてページアドレスを受信した場合、前記トラックバックの送信先となるサイトアドレスと、記憶するサイトアドレスとを比較し、
比較の結果、両方のサイトアドレスが一致する場合、受信したページアドレスを前記コンテンツに係るウェブサイトに追加する請求項９に記載のウェブページ作成方法。
【請求項１１】
前記第２サーバ装置は、
前記第１サーバ装置からコンテンツデータを受信した場合、受信したコンテンツデータをコンテンツ識別情報に対応付けて記憶し、
前記通信端末装置から前記作成指示データを受信した場合、前記作成指示データに含まれるコンテンツ識別情報に対応するコンテンツデータを、記憶したコンテンツデータから検索し、
検索の結果、該当するコンテンツデータが無かった場合、前記第１サーバ装置へ前記コンテンツ識別情報を指定した前記コンテンツ要求データを送信する請求項１乃至請求項１０のいずれか１項に記載のウェブページ作成方法。
【請求項１２】
前記第２サーバ装置は、
検索の結果、該当するコンテンツデータが有った場合、前記第１サーバ装置へ前記コンテンツ要求データを送信することなく、検索で該当したコンテンツデータの記憶場所を示すコンテンツアドレスの送信を行う請求項１１に記載のウェブページ作成方法。
【請求項１３】
前記第２サーバ装置は、
予め基本時間を記憶しており、
前記第１サーバ装置からコンテンツデータを受信した場合、受信したコンテンツデータをコンテンツ識別情報に対応付けて記憶日時と共に記憶し、
検索の結果、該当するコンテンツデータが有った場合、該当するコンテンツデータに係る記憶日時から検索時までの時間を算出し、
算出した時間と前記基本時間とを比較し、
比較の結果、算出した時間が前記基本時間より短い場合、前記第１サーバ装置へ前記コンテンツ要求データを送信することなく、検索で該当したコンテンツデータの記憶場所を示すコンテンツアドレスの送信を行う請求項１２に記載のウェブページ作成方法。
【請求項１４】
転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応するコンテンツデータの記憶場所を示すコンテンツアドレスを前記第２サーバ装置へ送信し、
前記第２サーバ装置は、前記コンテンツアドレスを受信した場合、前記コンテンツアドレスを前記第３サーバ装置へ送信し、
前記第３サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とするウェブページ作成方法。
【請求項１５】
転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、
前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、
前記第２サーバ装置は、作成指示データを受信した場合、前記作成指示データに含まれるコンテンツ識別情報を指定したコンテンツ要求データを前記第１サーバ装置へ送信し、
前記第１サーバ装置は、前記コンテンツ要求データを受信した場合、受信した前記コンテンツ要求データで指定されたコンテンツ識別情報に対応する前記コンテンツデータの記憶場所を示すコンテンツアドレスを前記第２サーバ装置へ送信し、
前記第２サーバ装置は、前記コンテンツアドレスを受信した場合、受信した前記コンテンツアドレスを埋め込んだ編集ページを前記通信端末装置へ送信し、
前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とするウェブページ作成方法。
【請求項１６】
前記通信端末装置は、前記第１サーバ装置へアクセスしてコンテンツに係るウェブサイトの表示を行うにあたり、前記作成指示の受け付けが可能な表示パーツの要求に係るパーツ要求データを前記第２サーバ装置へ送信し、
前記第２サーバ装置は、前記パーツ要求データを受信した場合、作成指示の受け付けが可能な表示パーツを前記通信端末装置へ送信し、
前記通信端末装置は、前記表示パーツを受信した場合、受信した表示パーツを前記コンテンツに係るウェブサイトの中に配置して、前記ウェブサイトを表示する請求項１乃至請求項１５のいずれか１項に記載のウェブページ作成方法。
【請求項１７】
前記通信端末装置は、ブラウザプログラムに基づいたブラウザを介して、ウェブサイトを表示し、
前記第２サーバ装置は、前記作成指示の受け付けが可能であると共にブラウザに組込表示が可能な指示受付部に応じた表示規定データを前記通信端末装置へ送信し、
前記通信端末装置は、前記表示規定データを受信した場合、受信した表示規定データに応じた前記指示受付部をブラウザに組み込んで、前記ブラウザを介してウェブサイトを表示する請求項１乃至請求項１６のいずれか１項に記載のウェブページ作成方法。
【請求項１８】
転載可能なコンテンツに応じたコンテンツデータをコンテンツ識別情報に対応付けて記憶した第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う第２サーバ装置と、前記編集ページの提供を行う第３サーバ装置とを備えるウェブページ作成システムであって、
前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信する処理を行う手段を備え、
前記第２サーバ装置は、作成指示データを受信した場合、前記作成指示データに含まれるコンテンツ識別情報を指定したコンテンツ要求データを前記第１サーバ装置へ送信する処理を行う手段を備え、
前記第１サーバ装置は、前記コンテンツ要求データを受信した場合、受信した前記コンテンツ要求データで指定されたコンテンツ識別情報に対応するコンテンツデータを読み出して前記第２サーバ装置へ送信する処理を行う手段を備え、
前記第２サーバ装置は更に、
前記コンテンツデータを受信した場合、受信した前記コンテンツデータを記憶する処理を行う手段と、
前記コンテンツデータの記憶場所を示すコンテンツアドレスを前記第３サーバ装置へ送信する処理を行う手段とを備え、
前記第３サーバ装置は、
前記コンテンツアドレスを受信した場合、受信した前記コンテンツアドレスを編集ページに埋め込む処理を行う手段と、
前記コンテンツアドレスを埋め込んだ前記編集ページを前記通信端末装置へ送信する処理を行う手段とを備え、
前記通信端末装置は更に、
前記編集ページを受信した場合、受信した編集ページの表示処理を行う手段と、
表示した前記編集ページでコメントを受け付けた場合、受け付けたコメント及び前記編集ページに埋め込まれた前記コンテンツアドレスを前記第３サーバ装置へ送信する処理を行う手段と
を備えることを特徴とするウェブページ作成システム。
【請求項１９】
転載可能なコンテンツに応じたコンテンツデータをコンテンツ識別情報に対応付けて記憶した第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う連携サーバ装置とを備えるウェブページ作成システムであって、
前記通信端末装置は、前記ウェブサイトに含まれる前記コンテンツを転載するウェブページの作成指示を受け付けた場合、前記コンテンツに応じたコンテンツ識別情報を含む作成指示データを前記連携サーバ装置へ送信する処理を行う手段を備え、
前記連携サーバ装置は、作成指示データを受信した場合、前記作成指示データに含まれるコンテンツ識別情報を指定したコンテンツ要求データを前記コンテンツサーバ装置へ送信する処理を行う手段を備え、
前記コンテンツサーバ装置は、前記コンテンツ要求データを受信した場合、受信した前記コンテンツ要求データで指定されたコンテンツ識別情報に対応するコンテンツデータを読み出して前記連携サーバ装置へ送信する処理を行う手段を備え、
前記連携サーバ装置は更に、
前記コンテンツサーバ装置から前記コンテンツに応じたコンテンツデータを受信した場合、前記コンテンツデータの記憶処理を行う手段と、
前記コンテンツデータの記憶場所を表すコンテンツアドレスを前記編集ページへ埋め込む処理を行う手段と、
前記コンテンツアドレスを埋め込んだ編集ページを前記通信端末装置へ送信する処理を行う手段とを備え、
前記通信端末装置は更に、
前記編集ページを受信した場合、受信した前記編集ページの表示処理を行う手段と、
表示した前記編集ページでコメントを受け付けた場合、受け付けたコメント及び前記コンテンツアドレスを前記連携サーバ装置へ送信する処理を行う手段と
を備えることを特徴とするウェブページ作成システム。
【請求項２０】
外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて前記コンテンツデータを受信した場合、受信した前記コンテンツデータを記憶する処理を行う手段と、
前記コンテンツデータの記憶場所を示すコンテンツアドレスを外部のサーバ装置へ送信する処理を行う手段と
を備えることを特徴とする連携サーバ装置。
【請求項２１】
外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ送信する処理を行う手段と
を備えることを特徴とする連携サーバ装置。
【請求項２２】
外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて前記コンテンツデータを受信した場合、受信した前記コンテンツデータを記憶する処理を行う手段と、
前記コンテンツデータの記憶場所を示すコンテンツアドレスを前記編集ページへ埋め込む処理を行う手段と、
前記コンテンツアドレスを埋め込んだ編集ページを外部の通信端末装置へ送信する処理を行う手段と
を備えることを特徴とする連携サーバ装置。
【請求項２３】
外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行う連携サーバ装置であって、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、
前記コンテンツアドレスを埋め込んだ編集ページを外部の通信端末装置へ送信する処理を行う手段と
を備えることを特徴とする連携サーバ装置。
【請求項２４】
通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて前記コンテンツデータを受信した場合、受信した前記コンテンツデータを前記記憶手段に記憶する処理を行う手段と、
前記コンテンツデータの記憶場所を示すコンテンツアドレスを外部のサーバ装置へ前記通信手段を通じて送信する処理を行う手段として機能させることを特徴とするコンピュータプログラム。
【請求項２５】
通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ前記通信手段を通じて送信する処理を行う手段として機能させることを特徴とするコンピュータプログラム。
【請求項２６】
通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて前記コンテンツデータを受信した場合、受信した前記コンテンツデータを前記記憶手段に記憶する処理を行う手段と、
前記コンテンツデータの記憶場所を示すコンテンツアドレスを前記編集ページへ埋め込む処理を行う手段と、
前記コンテンツアドレスを埋め込んだ編集ページを外部の通信端末装置へ前記通信手段を通じて送信する処理を行う手段として機能させることを特徴とするコンピュータプログラム。
【請求項２７】
通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行わせるコンピュータプログラムであって、
コンピュータを、
外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、
前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、
前記コンテンツアドレスを埋め込んだ編集ページを外部の通信端末装置へ前記通信手段を通じて送信する処理を行う手段として機能させることを特徴とするコンピュータプログラム。
【手続補正２】
【補正対象書類名】明細書
【補正対象項目名】０００８
【補正方法】変更
【補正の内容】
【０００８】
本発明に係るウェブページ作成方法は、転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、前記第２サーバ装置は、前記コンテンツデータを受信した場合、受信した前記コンテンツデータを記憶すると共に、記憶した前記コンテンツデータの記憶場所を示すコンテンツアドレスを前記第３サーバ装置へ送信し、前記第３サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とする。
【手続補正３】
【補正対象書類名】明細書
【補正対象項目名】００１０
【補正方法】変更
【補正の内容】
【００１０】
さらに、本発明に係るウェブページ作成方法は、転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信し、前記第２サーバ装置は、前記コンテンツデータを受信した場合、受信した前記コンテンツデータを記憶すると共に、記憶した前記コンテンツデータの記憶場所を示すコンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とする。
【手続補正４】
【補正対象書類名】明細書
【補正対象項目名】００２１
【補正方法】変更
【補正の内容】
【００２１】
本発明に係るウェブページ作成方法は、転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うと共に、前記編集ページの提供を第３サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応するコンテンツデータの記憶場所を示すコンテンツアドレスを前記第２サーバ装置へ送信し、前記第２サーバ装置は、前記コンテンツアドレスを受信した場合、前記コンテンツアドレスを前記第３サーバ装置へ送信し、前記第３サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第３サーバ装置へ送信することを特徴とする。
【手続補正５】
【補正対象書類名】明細書
【補正対象項目名】００２２
【補正方法】変更
【補正の内容】
【００２２】
本発明に係るウェブページ作成方法は、転載可能なコンテンツに応じたコンテンツデータをコンテンツ識別情報に対応付けて記憶した第１サーバ装置へ通信端末装置がアクセスして前記コンテンツを含むウェブサイトを表示するステップと、前記コンテンツを転載するウェブページの作成に係る処理を前記通信端末装置が編集ページに基づき行うステップとを備え、前記ウェブページの作成に応じた装置間の連携処理を第２サーバ装置で行うウェブページ作成方法であって、前記通信端末装置が、前記ウェブサイトに含まれる前記コンテンツを転載するウェブページの作成指示を受け付けた場合、前記コンテンツに応じたコンテンツ識別情報を含む作成指示データを前記第２サーバ装置へ送信し、前記第２サーバ装置は、作成指示データを受信した場合、前記作成指示データに含まれるコンテンツ識別情報を指定したコンテンツ要求データを前記第１サーバ装置へ送信し、前記第１サーバ装置は、前記コンテンツ要求データを受信した場合、受信した前記コンテンツ要求データで指定されたコンテンツ識別情報に対応する前記コンテンツデータの記憶場所を示すコンテンツアドレスを前記第２サーバ装置へ送信し、前記第２サーバ装置は、前記コンテンツアドレスを受信した場合、受信した前記コンテンツアドレスを埋め込んだ編集ページを前記通信端末装置へ送信し、前記通信端末装置は、前記編集ページを受信した場合、前記編集ページを表示し、表示した前記編集ページでコメントを受け付けたとき、受け付けたコメント及び前記編集ページに埋め込まれた前記コンテンツアドレスを前記第２サーバ装置へ送信することを特徴とする。
【手続補正６】
【補正対象書類名】明細書
【補正対象項目名】００２５
【補正方法】変更
【補正の内容】
【００２５】
本発明に係るウェブページ作成システムは、転載可能なコンテンツに応じたコンテンツデータをコンテンツ識別情報に対応付けて記憶した第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う第２サーバ装置と、前記編集ページの提供を行う第３サーバ装置とを備えるウェブページ作成システムであって、前記通信端末装置は、前記ウェブサイトに含まれる前記コンテンツを転載するウェブページの作成指示を受け付けた場合、前記コンテンツに応じたコンテンツ識別情報を含む作成指示データを前記第２サーバ装置へ送信する処理を行う手段を備え、前記第２サーバ装置は、作成指示データを受信した場合、前記作成指示データに含まれるコンテンツ識別情報を指定したコンテンツ要求データを前記第１サーバ装置へ送信する処理を行う手段を備え、前記第１サーバ装置は、前記コンテンツ要求データを受信した場合、受信した前記コンテンツ要求データで指定されたコンテンツ識別情報に対応するコンテンツデータを読み出して前記第２サーバ装置へ送信する処理を行う手段を備え、前記第２サーバ装置は更に、前記コンテンツデータを受信した場合、受信した前記コンテンツデータを記憶する処理を行う手段と、前記コンテンツデータの記憶場所を示すコンテンツアドレスを前記第３サーバ装置へ送信する処理を行う手段とを備え、前記第３サーバ装置は、前記コンテンツアドレスを受信した場合、受信した前記コンテンツアドレスを編集ページに埋め込む処理を行う手段と、前記コンテンツアドレスを埋め込んだ前記編集ページを前記通信端末装置へ送信する処理を行う手段とを備え、前記通信端末装置は更に、前記編集ページを受信した場合、受信した編集ページの表示処理を行う手段と、表示した前記編集ページでコメントを受け付けた場合、受け付けたコメント及び前記編集ページに埋め込まれた前記コンテンツアドレスを前記第３サーバ装置へ送信する処理を行う手段とを備えることを特徴とする。
【手続補正７】
【補正対象書類名】明細書
【補正対象項目名】００２６
【補正方法】変更
【補正の内容】
【００２６】
さらに、本発明に係るウェブページ作成システムは、転載可能なコンテンツに応じたコンテンツデータをコンテンツ識別情報に対応付けて記憶した第１サーバ装置と、前記第１サーバ装置へアクセスして前記コンテンツを含むウェブサイトを表示すると共に、前記コンテンツを転載するウェブページの作成に係る処理を編集ページに基づき行う通信端末装置と、前記ウェブページの作成に応じた装置間の連携処理を行う連携サーバ装置とを備えるウェブページ作成システムであって、前記通信端末装置は、前記ウェブサイトに含まれる前記コンテンツを転載するウェブページの作成指示を受け付けた場合、前記コンテンツに応じたコンテンツ識別情報を含む作成指示データを前記連携サーバ装置へ送信する処理を行う手段を備え、前記連携サーバ装置は、作成指示データを受信した場合、前記作成指示データに含まれるコンテンツ識別情報を指定したコンテンツ要求データを前記コンテンツサーバ装置へ送信する処理を行う手段を備え、前記コンテンツサーバ装置は、前記コンテンツ要求データを受信した場合、受信した前記コンテンツ要求データで指定されたコンテンツ識別情報に対応するコンテンツデータを読み出して前記連携サーバ装置へ送信する処理を行う手段を備え、前記連携サーバ装置は更に、前記コンテンツサーバ装置から前記コンテンツに応じたコンテンツデータを受信した場合、前記コンテンツデータの記憶処理を行う手段と、前記コンテンツデータの記憶場所を表すコンテンツアドレスを前記編集ページへ埋め込む処理を行う手段と、前記コンテンツアドレスを埋め込んだ編集ページを前記通信端末装置へ送信する処理を行う手段とを備え、前記通信端末装置は更に、前記編集ページを受信した場合、受信した前記編集ページの表示処理を行う手段と、表示した前記編集ページでコメントを受け付けた場合、受け付けたコメント及び前記コンテンツアドレスを前記連携サーバ装置へ送信する処理を行う手段とを備えることを特徴とする。
【手続補正８】
【補正対象書類名】明細書
【補正対象項目名】００２７
【補正方法】変更
【補正の内容】
【００２７】
本発明に係る連携サーバ装置は、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて前記コンテンツデータを受信した場合、受信した前記コンテンツデータを記憶する処理を行う手段と、前記コンテンツデータの記憶場所を示すコンテンツアドレスを外部のサーバ装置へ送信する処理を行う手段とを備えることを特徴とする。
【手続補正９】
【補正対象書類名】明細書
【補正対象項目名】００２８
【補正方法】変更
【補正の内容】
【００２８】
また、本発明に係る連携サーバ装置は、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ送信する処理を行う手段とを備えることを特徴とする。
【手続補正１０】
【補正対象書類名】明細書
【補正対象項目名】００２９
【補正方法】変更
【補正の内容】
【００２９】
さらに、本発明に係る連携サーバ装置は、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて前記コンテンツデータを受信した場合、受信した前記コンテンツデータを記憶する処理を行う手段と、前記コンテンツデータの記憶場所を示すコンテンツアドレスを前記編集ページへ埋め込む処理を行う手段と、前記コンテンツアドレスを埋め込んだ編集ページを外部の通信端末装置へ送信する処理を行う手段とを備えることを特徴とする。
【手続補正１１】
【補正対象書類名】明細書
【補正対象項目名】００３０
【補正方法】変更
【補正の内容】
【００３０】
さらにまた、本発明に係る連携サーバ装置は、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行う連携サーバ装置であって、外部の通信端末装置から、コンテンツ識別情報を含む作成指示データを受信した場合、前記作成指示データに含まれるコンテンツ識別情報を指定したコンテンツ要求データを外部のコンテンツサーバ装置へ送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、前記コンテンツアドレスを埋め込んだ編集ページを外部の通信端末装置へ送信する処理を行う手段とを備えることを特徴とする。
【手続補正１２】
【補正対象書類名】明細書
【補正対象項目名】００３１
【補正方法】変更
【補正の内容】
【００３１】
本発明に係るコンピュータプログラムは、通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて前記コンテンツデータを受信した場合、受信した前記コンテンツデータを前記記憶手段に記憶する処理を行う手段と、前記コンテンツデータの記憶場所を示すコンテンツアドレスを外部のサーバ装置へ前記通信手段を通じて送信する処理を行う手段として機能させることを特徴とする。
【手続補正１３】
【補正対象書類名】明細書
【補正対象項目名】００３２
【補正方法】変更
【補正の内容】
【００３２】
また、本発明に係るコンピュータプログラムは、通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを外部のサーバ装置へ前記通信手段を通じて送信する処理を行う手段として機能させることを特徴とする。
【手続補正１４】
【補正対象書類名】明細書
【補正対象項目名】００３３
【補正方法】変更
【補正の内容】
【００３３】
さらに、本発明に係るコンピュータプログラムは、通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて前記コンテンツデータを受信した場合、受信した前記コンテンツデータを前記記憶手段に記憶する処理を行う手段と、前記コンテンツデータの記憶場所を示すコンテンツアドレスを前記編集ページへ埋め込む処理を行う手段と、前記コンテンツアドレスを埋め込んだ編集ページを外部の通信端末装置へ前記通信手段を通じて送信する処理を行う手段として機能させることを特徴とする。
【手続補正１５】
【補正対象書類名】明細書
【補正対象項目名】００３４
【補正方法】変更
【補正の内容】
【００３４】
さらにまた、本発明に係るコンピュータプログラムは、通信手段及び記憶手段を有するコンピュータに、外部のコンテンツサーバ装置がコンテンツ識別情報に対応付けて記憶したコンテンツデータに係る転載可能なコンテンツを転載するウェブページの作成に係る処理を編集ページに基づき外部の通信端末装置で行う場合に、前記ウェブページの作成に応じた装置間の連携処理を行わせるコンピュータプログラムであって、コンピュータを、外部の通信端末装置から、コンテンツ識別情報を含む作成指示データを受信した場合、前記作成指示データに含まれるコンテンツ識別情報を指定したコンテンツ要求データを外部のコンテンツサーバ装置へ前記通信手段を通じて送信する処理を行う手段と、前記コンテンツ要求データの送信に応じて、外部のコンテンツサーバ装置における前記コンテンツデータの記憶場所を示すコンテンツアドレスを受信した場合、受信した前記コンテンツアドレスを前記編集ページへ埋め込む処理を行う手段と、前記コンテンツアドレスを埋め込んだ編集ページを外部の通信端末装置へ前記通信手段を通じて送信する処理を行う手段として機能させることを特徴とする。
【国際調査報告】
2009139035.tif 000025
2009139035.tif 000026
2009139035.tif 000027